(57)【要約】【課題】遊技店による取引金額の間引きなどの不正を防止するとともに、各遊技店の売上状況を中央管理センタ６００により確実に管理することができる遊技媒体貸出管理システムを提供する。【解決手段】玉貸出処理機２００は、遊技客が玉貸出処理機２００に投入（入金）した紙幣による投入金額を投入金額記憶データベース２８０に記憶するとともに、売上金額情報として、カードＩＤに関連付けて管理サーバ５００に送信し、管理サーバ５００は、この売上金額を売上金額管理データベース５６０に記憶し、玉貸出処理機２００による累積投入金額と、この玉貸出処理機２００から管理サーバ５００に送信し、算出された累積売上金額とを累積売上金額判定テーブル５９０により照合し、両者の累積売上金額に差異がある場合、中央管理センタ６００に警報を報知する。【選択図】        図１
2006141792.tif 000002
【特許請求の範囲】
【請求項１】
遊技客によって投入された貨幣の有価価値に基づいて、遊技機に遊技媒体を貸し出す貸出処理機と、前記貨幣よる投入金額情報を売上金額情報として取得する管理装置とを備えた遊技媒体貸出管理システムであって、
前記貸出処理機は、
前記遊技客により投入される貨幣を受け入れ可能な貨幣挿入手段と、
前記貨幣挿入手段から挿入された貨幣の有価価値を識別する有価価値識別手段と、
前記有価価値識別手段により識別された有価価値に応じて、遊技機に対して遊技媒体の貸し出し処理をおこなう貸出処理手段と、
前記貨幣による有価価値を投入金額として記憶する投入金額記憶手段と、
前記投入金額記憶手段により記憶された投入金額を、貸出処理機に付与された個別の識別符号に関連付けた累積投入金額として算出する累積投入金額算出手段と、
前記投入金額記憶手段により記憶された投入金額を売上金額情報として、前記管理装置に送信するとともに、前記累積投入金額算出手段により算出された累積投入金額を前記管理装置へ送信する送信手段とを備え、
前記管理装置は、
前記貸出処理機から送信される売上金額情報を記憶する売上金額記憶手段と、
前記売上金額記憶手段により記憶された売上金額を、貸出処理機の識別符号に関連付けた累積売上金額として算出する累積売上金額算出手段と、
前記累積投入金額算出手段により算出された累積投入金額と、前記累積売上金額算出手段により算出された累積売上金額との差異を判定する累積売上金額判定手段と、
を備えることを特徴とする遊技媒体貸出管理システム。
【請求項２】
前記管理装置により累積される売上金額情報を管理する中央管理センタを備え、前記管理装置は、前記累積売上金額判定手段により、前記累積投入金額算出手段により算出された累積投入金額と、前記累積売上金額算出手段により算出された累積売上金額とに所定以上の差異があると判定された場合に、前記中央管理センタに対して、警報を報知する警報手段を備えることを特徴とする請求項１に記載の遊技媒体貸出管理システム。
【請求項３】
前記貸出処理機は、前記投入金額記憶手段により記憶される投入金額を格納する投入金額記憶データベースを備え、前記投入金額は、貸出処理機に内蔵されたカード媒体のカードＩＤに関連付けて、投入金額記憶データベースに格納されることを特徴とする請求項１または２に記載の遊技媒体貸出管理システム。
【請求項４】
前記貸出処理機は、前記累積投入金額記憶手段により記憶される累積投入金額を格納する累積投入金額記憶データベースを備え、前記累積投入金額は、貸出処理機に付与された個別の識別符号に関連付けて累積投入金額記憶データベースに格納されることを特徴とする請求項１、２または３に記載の遊技媒体貸出管理システム。
【請求項５】
前記管理装置は、前記売上金額記憶手段により記憶される売上金額を格納する売上金額記憶データベースを備え、前記売上金額は、貸出処理機に内蔵されたカード媒体のカードＩＤに関連付けて、売上金額記憶データベースに格納されることを特徴とする請求項１から４のいずれか一つに記載の遊技媒体貸出管理システム。
【請求項６】
前記管理装置は、前記累積売上金額記憶手段により記憶される累積売上金額を格納する累積売上金額データベースを備え、前記累積売上金額は、貸出処理機に付与された個別の識別符号に関連付けて累積売上金額記憶データベースに格納されることを特徴とする請求項１から５のいずれか一つに記載の遊技媒体貸出管理システム。
【請求項７】
前記貸出処理機から前記管理装置に対する投入金額情報の送信タイミングは、当該貸出処理機による遊技機に対する遊技媒体の貸出処理時、貸出処理機の電源投入時、前記管理装置からの送信要求時のいずれかであることを特徴とする請求項１〜６のいずれか一つに記載の遊技媒体貸出管理システム。
【請求項８】
前記貸出処理機から前記管理装置に対する累積投入金額情報の送信タイミングは、当該貸出処理機による遊技機に対する遊技媒体の貸出処理時、貸出処理機の電源投入時、前記管理装置からの送信要求時のいずれかであることを特徴とする請求項１〜７のいずれか一つに記載の遊技媒体貸出管理システム。
【請求項９】
前記累積売上金額判定手段による判定処理は、遊技店の閉店時間経過後におこなうことを特徴とする請求項１〜８のいずれか一つに記載の遊技媒体貸出管理システム。
【発明の詳細な説明】
【技術分野】
【０００１】
この発明は、貨幣（有価媒体）の受け入れにより、遊技媒体を貸し出す遊技媒体貸出管理システムに関し、特に、貸出処理機に投入された紙幣による累積投入金額と、管理サーバにより算出された累積売上金額とを照合することにより、中央管理センタ（カード会社センタ）によって、遊技店の売上状況を確実に把握／管理することができる遊技媒体貸出管理システムに関する。
【背景技術】
【０００２】
現在、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた識別ＩＤに基づく、有価価値に応じてパチンコ玉やメダルなどの遊技媒体を借り受ける遊技媒体貸出システム（プリペイドカードシステム）が一般的に採用されている（例えば、特許文献１参照）。
【０００３】
このような遊技媒体貸出システムによると、例えば、カード発行機により、１０００円分の有価価値があるプリペイドカードを購入し、このプリペイドカードをパチンコ機に隣接されたカード処理機（貸出処理機）に挿入することで１０００円分の遊技媒体（パチンコ玉など）を借り受け遊技をおこなうことができ、このプリペイドカードに予め記録（付与）された識別ＩＤに対応する１０００円がカード処理機に対する投入金額情報となる。そして、カード発行機によるカードの売上情報とカード処理機によるカードの利用情報とを管理装置で収集することにより売上金額を管理するシステムが構築されている。
【０００４】
このような従来のプリペイドカードなどを利用した遊技媒体貸出システム（プリペイドカードシステム）によるとプリペイドカードの識別ＩＤと売上金額とを関連付けることにより、カード毎の売上金額情報、残高情報を正確に把握することができ、これによって、各遊技店毎の総売上金額を正確に算出し管理することができる。
【０００５】
具体的に説明すると、管理装置は、各カード処理機から送信される投入金額情報を売上金額情報として収集し管理するとともに、この売上金額情報を中央管理センタ（カード会社）の中央管理コンピュータに送信するようにしている。このように、各遊技店毎の（遊技店内に設置されたカード処理機）売上金額情報を遊技店以外の中央管理センタ（カード会社）により統括的に管理することで、各遊技店の売上を明朗化とするＩＮのクリアシステムが構築されている。また、中央管理センタ（カード会社）では、各遊技店から収集された売上情報（売上実績）に基づいて、カードの使用料（システムの使用料金）を、遊技店から徴収するようにしている。
【０００６】
また、近年では、プリペイドカードなどのカード媒体を使用することなく遊技媒体の貸し出しをおこなう紙幣対応の貸出処理機が普及している。このような紙幣対応のＣＲ機では、遊技客が投入した紙幣による有価価値分の遊技媒体を貸し出すことができる。この紙幣対応の貸出処理機の場合、投入された紙幣の有価価値は、貸出処理機の内部に装着したメモリカード（カード媒体）のカードＩＤに関連付けて記憶されるとともに、貸出処理機の本体ＩＤ（識別符号）およびカードＩＤに対応付けられ、売上金額として管理装置に送信され、この売上金額の累積金額が管理装置（管理サーバ）により管理されている。
【０００７】
【特許文献１】特開２００３−１０３０１５号公報
【発明の開示】
【発明が解決しようとする課題】
【０００８】
ところが、上述した従来の遊技媒体貸出管理システムでは、以下に示すような問題がある。すなわち、前述したように、従来では貸出処理機の売上金額を管理サーバに送信し、管理サーバは、貸出処理機から送信された売上金額を累積（合計）することにより遊技店の売上実績を管理している。
【０００９】
また、中央管理センタは、管理サーバによって遊技店から売上金額情報（売上実績）の累積値（合計値）を収集し、この売上実績に基づいて、カードの使用料（システムの使用料金）を、遊技店から徴収するようにしている。
【００１０】
ところが、例えば、遊技店内部において、不正に売上金額を間引くなどの目的で、第三者機関が設置した管理装置ではなく、別の管理装置が接続された場合には、中央管理センタによって正確に遊技店による売上金額を把握することができなくなるという問題がある。
【００１１】
さらに前述したように、中央管理センタは、管理サーバから送信さる売上金額情報に応じて、システムの使用料を徴収しているため、不正により正確なシステムの使用料を徴収できなくなるという問題がある。
【００１２】
そこで、この発明は、上述した従来技術による問題点を解決するためになされたものであり、第三者機関である中央管理センタ（カード会社）により、遊技店に備えた貸出処理機による売上実績を正確に把握することができるうえ、各遊技店による売上金額の明朗化の向上を図ることができる遊技媒体貸出管理システムを提供することを目的とする。
【課題を解決するための手段】
【００１３】
上述した課題を解決し、目的を達成するために、請求項１に記載の発明は、遊技客によって投入された貨幣の有価価値に基づいて、遊技機に遊技媒体を貸し出す貸出処理機と、前記貨幣よる投入金額情報を売上金額情報として取得する管理装置とを備えた遊技媒体貸出管理システムであって、前記貸出処理機は、前記遊技客により投入される貨幣を受け入れ可能な貨幣挿入手段と、前記紙幣挿入手段から挿入された紙幣の有価価値を識別する有価価値識別手段と、前記有価価値識別手段により識別された有価価値に応じて、遊技機に対して遊技媒体の貸し出し処理をおこなう貸出処理手段と、前記貨幣による有価価値を投入金額として記憶する投入金額記憶手段と、前記投入金額記憶手段により記憶された投入金額を、貸出処理機に付与された個別の識別符号に関連付けた累積投入金額として算出する累積投入金額算出手段と、前記投入金額記憶手段により記憶された投入金額を売上金額情報として、前記管理装置に送信するとともに、前記累積投入金額算出手段により算出された累積投入金額を前記管理装置へ送信する送信手段とを備え、前記管理装置は、前記貸出処理機から送信される売上金額情報を記憶する売上金額記憶手段と、前記売上金額記憶手段により記憶された売上金額を、貸出処理機の識別符号に関連付けた累積売上金額として算出する累積売上金額算出手段と、前記累積投入金額算出手段により算出された累積投入金額と、前記累積売上金額算出手段により算出された累積売上金額との差異を判定する累積売上金額判定手段とを備えることを特徴とする。
【００１４】
また、請求項２に記載の発明は、請求項１に記載の発明において、前記管理装置により累積される売上金額情報を管理する中央管理センタを備え、前記管理装置は、前記累積売上金額判定手段により、前記累積投入金額算出手段により算出された累積投入金額と、前記累積売上金額算出手段により算出された累積売上金額とに所定以上の差異があると判定された場合に、前記中央管理センタに対して、警報を報知する警報手段を備えることを特徴とする。
【００１５】
また、請求項３に記載の発明は、請求項１または２に記載の発明において、前記貸出処理機は、前記投入金額記憶手段により記憶される投入金額を格納する投入金額記憶データベースを備え、前記投入金額は、貸出処理機に内蔵されたカード媒体のカードＩＤに関連付けて、投入金額記憶データベースに格納されることを特徴とする。
【００１６】
また、請求項４に記載の発明は、請求項１、２または３に記載の発明において、前記貸出処理機は、前記累積投入金額記憶手段により記憶される累積投入金額を格納する累積投入金額記憶データベースを備え、前記累積投入金額は、貸出処理機に付与された個別の識別符号に関連付けて累積投入金額記憶データベースに格納されことを特徴とする。
【００１７】
また、請求項５に記載の発明は、請求項１から４のいずれか一つに記載の発明において、前記管理装置は、前記売上金額記憶手段により記憶される売上金額を格納する売上金額記憶データベースを備え、前記売上金額は、貸出処理機に内蔵されたカード媒体のカードＩＤに関連付けて、売上金額記憶データベースに格納されることを特徴とする。
【００１８】
また、請求項６に記載の発明は、請求項１から５のいずれか一つに記載の発明において、前記管理装置は、前記累積売上金額記憶手段により記憶される累積売上金額を格納する累積売上金額データベースを備え、前記累積売上金額は、貸出処理機に付与された個別の識別符号に関連付けて累積売上金額記憶データベースに格納されることを特徴とする。
【００１９】
また、請求項７に記載の発明は、請求項１から６のいずれか一つに記載の発明において、前記貸出処理機から前記管理装置に対する投入金額情報の送信タイミングは、当該貸出処理機による遊技機に対する遊技媒体の貸出処理時、貸出処理機の電源投入時、前記管理装置からの送信要求時のいずれかであることを特徴とする。
【００２０】
また、請求項８に記載の発明は、請求項１から７のいずれか一つに記載の発明において、前記貸出処理機から前記管理装置に対する累積投入金額情報の送信タイミングは、当該貸出処理機による遊技機に対する遊技媒体の貸出処理時、貸出処理機の電源投入時、前記管理装置からの送信要求時のいずれかであることを特徴とする。
【００２１】
また、請求項９に記載の発明は、請求項１から８のいずれか一つに記載の発明において、前記累積売上金額判定手段による判定処理は、遊技店の閉店時間経過後におこなうことを特徴とする。
【発明の効果】
【００２２】
請求項１に記載の発明によれば、遊技客によって投入された貨幣の有価価値に基づいて、遊技機に遊技媒体を貸し出す貸出処理機と、前記貨幣よる投入金額情報を売上金額情報として取得する管理装置とを備えた遊技媒体貸出管理システムであって、前記貸出処理機は、前記遊技客により投入される貨幣を受け入れ可能な貨幣挿入手段と、前記貨幣挿入手段から挿入された紙幣の有価価値を識別する有価価値識別手段と、前記有価価値識別手段により識別された有価価値に応じて、遊技機に対して遊技媒体の貸し出し処理をおこなう貸出処理手段と、前記紙幣による有価価値を投入金額として記憶する投入金額記憶手段と、前記投入金額記憶手段により記憶された投入金額を、貸出処理機に付与された個別の識別符号に関連付けた累積投入金額として算出する累積投入金額算出手段と、前記投入金額記憶手段により記憶された投入金額を売上金額情報として、前記管理装置に送信するとともに、前記累積投入金額算出手段により算出された累積投入金額を前記管理装置へ送信する送信手段とを備え、前記管理装置は、前記貸出処理機から送信される売上金額情報を記憶する売上金額記憶手段と、前記売上金額記憶手段により記憶された売上金額を、貸出処理機の識別符号に関連付けた累積売上金額として算出する累積売上金額算出手段と、前記累積投入金額算出手段により算出された累積投入金額と、前記累積売上金額算出手段により算出された累積売上金額との差異を判定する累積売上金額判定手段と、を備えるので、遊技店に設置された貸出処理機による売上状況を中央管理センタ（カード会社）で確実に把握（管理）することができるという効果を奏する。
【００２３】
また、管理装置からの警報の報知に基づいて、実際に遊技客により投入された投入金額の累積値（合計値）と、貸出処理機から管理装置に送信された売上金額情報との累計値（合計値）とに差異が発生したことを迅速に把握することができ、これによって、遊技店の不正（取引情報の間引き）を確実に発見できるという効果を奏する。
【００２４】
また、請求項２に記載の発明によれば、前記管理装置により累積される売上金額情報を管理する中央管理センタを備え、前記管理装置は、前記累積売上金額判定手段により、前記累積投入金額算出手段により算出された累積投入金額と、前記累積売上金額算出手段により算出された累積売上金額とに所定以上の差異があると判定された場合に、前記中央管理センタに対して、警報を報知する警報手段を備えるので、遊技店の不正（取引情報の間引き）を確実に発見できるうえ、遊技店に設置された貸出処理機による売上状況を中央管理センタで確実に把握（管理）することができるという効果を奏する。
【００２５】
また、請求項３に記載の発明によれば、前記貸出処理機は、前記投入金額記憶手段により記憶される投入金額を格納する投入金額記憶データベースを備え、前記投入金額は、貸出処理機に内蔵されたカード媒体のカードＩＤに関連付けて、投入金額記憶データベースに格納されるので、この投入金額記憶データベースにより遊技客から投入される紙幣の投入金額情報を正確に記憶することができるという効果を奏する。
【００２６】
また、請求項４に記載の発明によれば、前記貸出処理機は、前記累積投入金額記憶手段により記憶される累積投入金額を格納する累積投入金額記憶データベースを備え、前記累積投入金額は、貸出処理機に付与された個別の識別符号に関連付けて累積投入金額記憶データベースに格納されるので、この累積売上金額記憶データベースにより各貸出処理機別の累積売上金額を正確に記憶することができるという効果を奏する。
【００２７】
また、請求項５に記載の発明によれば、前記管理装置は、前記売上金額記憶手段により記憶される売上金額を格納する売上金額記憶データベースを備え、前記売上金額は、貸出処理機に内蔵されたカード媒体のカードＩＤに関連付けて、売上金額記憶データベースに格納されるので、この売上金額管理データベースにより、各貸出処理機から送信された売上金額を正確に記憶するとともに、効率良く管理できるという効果を奏する。
【００２８】
また、請求項６に記載の発明によれば、前記管理装置は、前記累積売上金額記憶手段により記憶される累積売上金額を格納する累積売上金額データベースを備え、前記累積売上金額は、貸出処理機に付与された個別の識別符号に関連付けて累積売上金額記憶データベースに格納されるので、この累積売上金額記憶データベースにより累積売上金額を正確に管理できるという効果を奏する。
【００２９】
また、請求項７に記載の発明によれば、前記貸出処理機から前記管理装置に対する投入金額情報の送信タイミングは、当該貸出処理機による遊技機に対する遊技媒体の貸出処理時、貸出処理機の電源投入時、前記管理装置からの送信要求時のいずれかであるので、常に最新の投入金額を管理装置に送信することができることから、各貸出処理機別の投入金額を効率良く正確に管理することができるという効果を奏する。
【００３０】
また、請求項８に記載の発明によれば、前記貸出処理機から前記管理装置に対する累積投入金額情報の送信タイミングは、当該貸出処理機による遊技機に対する遊技媒体の貸出処理時、貸出処理機の電源投入時、前記管理装置からの送信要求時のいずれかであるので、常に最新の累積売上金額を管理装置に送信することができることから、各貸出処理機別の累積売上金額を効率良く正確に管理することができるという効果を奏する。
【００３１】
また、請求項９に記載の発明によれば、前記累積売上金額判定手段による判定処理は、遊技店の閉店時間経過後におこなうので、最終的に算出された累積売上金額を管理装置で判定することができ、これによって、遊技店の不正（取引情報の間引き）を確実に発見できるという効果を奏する。
【発明を実施するための最良の形態】
【００３２】
以下に添付図面を参照して、この発明に係る遊技媒体貸出管理システムの好適な実施例を詳細に説明する。なお、以下に示す実施例では、本発明に係る遊技媒体貸出管理システムをパチンコ遊技に適用した場合を示すこととする。なお、以下では、本実施例に係る遊技媒体貸出管理システムの概要および特徴を説明し、これに続いて、この遊技媒体貸出管理システムの構成および機能の詳細を説明し、その後、遊技媒体貸出管理システムによる全体処理に関する処理手順を説明することとする。
【実施例】
【００３３】
（遊技媒体貸出管理システムの概要および特徴）
まず最初に、本実施例に係る遊技媒体貸出管理システムの概要および特徴を説明する。図１は、本実施例に係る遊技媒体貸出管理システムの概要を示す説明図である。図２は、本実施例に係る遊技媒体貸出システムの概略構成を示す機能ブロック図である。また、図３は、管理サーバ５００（Ｔ／Ｃ）の構成を、図４は、中央管理センタ６００の構成を示す機能ブロック図をそれぞれ示している。
【００３４】
すなわち、図１、２に示すように、この遊技媒体貸出管理システムでは、遊技店内のそれぞれ「島」と呼ばれるグループごとに複数の遊技機（以下、『パチンコ機』と称する）が併設されている。そして、これらパチンコ機１００にはそれぞれ１台ずつペアとなるように遊技媒体貸出処理機（以下、『玉貸出処理機』と称する）がパチンコ機１００の相互間に挟まれるように据置されており、遊技客により、この玉貸出処理機２００に挿入された紙幣（１０００円札）による入金情報（投入金額）は売上金額情報として、島コントローラ３００、中継器４００を介して管理サーバ５００に送信されるとともに、この管理サーバ５００により各玉貸出処理機２００の累積売上金額（売上実績）を個別に管理するようにしている。なお、管理サーバ５００は、遊技店内に配置されているが、実際には、中央管理センタ６００（カード会社）を管理する第三者機関により設置されている。
【００３５】
玉貸出処理機２００は、紙幣の投入により、この投入された紙幣の価値（有価価値）を上限とするパチンコ玉の貸し出し処理を主機能とするものである。ここで、本実施例における玉貸出処理機２００は、遊技客による紙幣（１０００円札）の投入時に、所定数の遊技玉（パチンコ玉）を貸し出すようにパチンコ機１００へ指示を与える機能とともに、この紙幣投入時の投入金額情報を投入金額記憶データベース２８０（図１）に記憶／格納し、この投入金額情報を売上金額情報として逐次（リアルタイム）、玉貸出処理機２００の本体ＩＤおよびカードＩＤに関連付けて、管理サーバ５００に通知する機能を備えている。また、後述するように、管理サーバ５００からの送信指示により、累積投入金額情報を管理サーバ５００に通知する機能を備えている。
【００３６】
島コントローラ３００は、玉貸出処理機２００と管理サーバ５００との間における通信を制御するものである。中継器４００（ＨＵＢ）は、各「島」内に１基づつ据置されており、各「島」内のネットワークケーブルを束ねる集線装置（コンセントレータ）としての機能を備えている。本システムでは、それぞれの中継器４００は、シリアル接続（ディジーチェーン）により構成されている。
【００３７】
管理サーバ５００は、第三者機関によって管理される中央管理センタ（カード会社）６００の中央管理コンピュータ６１０に接続されるとともに、最終的に管理サーバ５００により集計（累積）された各玉貸出処理機２００の売上金額情報を、中央管理センタ６００に送信し、この中央管理センタ６００の中央管理コンピュータ６１０により、各遊技店の売上情報が統括的に管理される遊技媒体貸出管理システムを構築している。すなわち、図２に示すように、中央管理センタ６００により複数の遊技店（管理サーバ５００）の管理がおこなわれている。
【００３８】
以上のように構成される遊技媒体貸出管理システムにおいて、本発明の特徴は、玉貸出処理機２００に対して、実際に遊技客により投入された紙幣の投入金額を売上金額情報として、管理サーバ５００に送信するとともに、この玉貸出処理機２００で算出された累積投入金額Ａと、この玉貸出処理機２００から売上金額情報として管理サーバ５００に送信し、累計値（合計値）として算出された累積売上金額Ｂとを照合することにより、遊技店の売上状況を管理サーバ５００および第三者機関である中央管理センタ（カード会社）６００により確実に把握（管理）することにある。
【００３９】
この本発明の特徴を具体的に説明すると、玉貸出処理機２００には、予め個別の本体ＩＤ（Ａ××××１０〜）と、この玉貸出処理機２００の内部に内蔵されたメモリカード２３０（図６）のカードＩＤ（Ｃ×××××１０〜）とが付与されており、各玉貸出処理機２００による入金金額情報（投入金額情報）は、一旦、玉貸出処理機２００に備えた投入金額記憶データベース２８０（図７−１）に、本体ＩＤおよびカードＩＤに関連付けられて記憶／格納し、以降、各玉貸出処理機２００は、遊技客による紙幣の投入にともない投入金額情報を更新するとともに、この遊技客により投入された紙幣（１０００円札）よる投入金額情報を売上金額情報として、管理サーバ５００に対して送信するようにしている。また、遊技客により投入された玉貸出処理機２００における投入金額の累積値（累積投入金額Ａ）も、上位装置（管理サーバ５００）による指示などにより送信するようにしている。
【００４０】
一方、管理サーバ５００では、玉貸出処理機２００から送信される売上金額情報を受信し、各玉貸出処理機２００の本体ＩＤおよびカードＩＤに関連付けて、売上金額を売上金額管理データベース５６０（図８−１）に記憶するとともに、逐次、更新をおこない、この更新された累積売上金額Ｂを累積売上金額管理データベース５７５（図９−１）に格納するようにしている。
【００４１】
また、この管理サーバ５００は、実際に遊技客が玉貸出処理機２００に投入した投入金額の累積値（累積投入金額Ａ）と、この玉貸出処理機２００から管理サーバ５００に送信された売上金額の累積値（累積投入金額Ｂ）とに差異があるかを照合により判定する累積売上金額判定部５８０（図３）を備えており、この累積売上金額判定部５８０により両者の累積金額に所定以上の差異があると判明した場合に、中央管理センタ６００に対して、売上金額に差異がある旨を示す警報を報知するようにしている。すなわち、これによって、遊技店内の玉貸出処理機２００による売上金額を不正に間引くなどの不正行為を防止するようにしている。なお、この累積売上金額判定部５８０による累積売上情報の照合（判定）は、累積売上金額判定テーブル５９０（図１０）に基づいておこなうようにしている。なお、上記警報を発するか否かの基準となる『所定以上の差異』については、中央管理センター側によって、予め設定されているものとする。
【００４２】
また、本実施例では、玉貸出処理機２００から管理サーバ５００に対して送信する累積投入金額Ａの通知タイミングは、玉貸出処理機２００によるパチンコ機１００に対する玉貸処理時としている。なお、この玉貸処理時以外にも、玉貸出処理機２００本体の電源ＯＮ時（遊技店の開店時、玉貸出処理機２００の交換時）、上位装置である管理サーバ５００からの送信要求指示がある場合を条件とすることができる。すなわち、これによって、最新の累積投入金額Ａを管理サーバ５００に送信することができることから、各貸出処理機別の累積投入金額Ａを効率良く正確に管理することができる。また、管理サーバ５００からの送信要求に応じて、各玉貸出処理機２００別の累積投入金額Ａを効率良く正確に管理するようにしている。
【００４３】
また、管理サーバ５００で実行される累積投入金額Ａと累積売上金額Ｂとの照合をおこなう累積売上情報の判定（チェック）タイミングは、累積投入金額情報の通知タイミングと同様に、玉貸出処理機２００によるパチンコ機１００に対する玉貸処理時としている。なお、この玉貸処理時以外にも、玉貸出処理機２００本体の電源ＯＮ時（遊技店の開店時、玉貸出処理機２００の交換時）、上位装置である中央管理センタ６００からの累積売上金額チェック指示がある場合を条件とすることができる。すなわち、これによって、最適なタイミングで各貸出処理機別の累積売上金額の判定を効率良く正確に実行することができる。
【００４４】
（管理サーバ５００の構成および機能の詳細）
次に、図３を参照して管理サーバ５００の構成および機能の詳細について説明する。管理サーバ５００は、概略的に、遊技媒体貸出管理システムを構成する各機器の制御をおこなう装置であり、各玉貸出処理機２００に投入された紙幣（１０００円札）による入金金額（投入金額）を個別の売上金額として取得する機能を備えている。
【００４５】
すなわち、管理サーバ５００は、各玉貸出処理機２００に対して、予め付与されている本体ＩＤ（識別符号）に基づいて、個々の玉貸出処理機２００毎に投入された紙幣による入金金額情報（投入金額情報）を売上金額情報として取得／合計（累積）し、管理する機能を備えている。また、管理サーバ５００により集計された各遊技店別の玉貸出処理機２００による累積売上金額（売上実績）を中央管理センタ６００に送信する機能を備えている。
【００４６】
具体的に説明すると、管理サーバ５００は、玉貸出処理機２００から送信される売上金額情報を記憶する売上金額管理データベース５６０と累積売上金額情報管理データベース５７５とを備えており、各玉貸出処理機２００から送信される売上金額情報は、リアルタイムで管理サーバ５００に送信されるとともに、この管理サーバ５００内に備えた売上金額管理データベース５６０に記憶される。そして、この売上金額管理データベース５６０に記憶した売上金額情報に基づいて、累積売上金額算出部５７０により累積売上金額を算出する。以下、この累積売上金額算出部５７０により算出された累積金額は、各玉貸出処理機２００の本体ＩＤに対応して累積売上金額情報管理データベース５７５（図９−１）に格納するようにしている。なお、これら売上金額管理データベース５６０および累積売上金額情報管理データベース５７０についての詳細は、後述する。
【００４７】
すなわち、図３に示すように、管理サーバ５００は、管理サーバ５００全体を統括的に制御する制御部５１０と、各種指示入力を受け付ける入力部５２０と、出力部５３０と、メニュー画面や売上情報の一覧などを表示する表示部５４０（モニタ）と、表示制御部５４５と、玉貸出処理機２００と相互に通信をおこなうための通信Ｉ／Ｆ５５０と、売上金額管理データベース５６０と、累積売上金額算出部５７０と、累積売上金額管理データベース５７５と、累積売上金額判定部５８０と、累積売上金額判定テーブル５９０とを備えている。
【００４８】
制御部５１０は、ＯＳ（Operating System）などの制御プログラム、各種の処理手順などを規定したプログラムおよび所要データを格納するための内部メモリを有し、これらによって種々の処理を実行する処理部としての機能を備えている。
【００４９】
入力部５２０は、管理サーバ５００により制御（指示）される各種の情報を入力するキーボード、マウス及びトラックボールなどの操作入力手段（入力用デバイス）であり、主に、遊技店の経営者などの経営に携わる者（管理者）からの操作により操作をおこなう手段として使用される。
【００５０】
出力部５３０はプリンタなどの印刷手段であり、本例では、管理者などの操作により、表示部５４０（モニタ）に表示される売上金額管理データベース５６０（図８−１）、累積売上金額管理データベース５７５（図９−１）、累積売上金額判定テーブル５９０（図１０）の内容を印字（プリント）する機能を備えている。
【００５１】
表示部５４０は、表示画面を出力する出力手段であり、玉貸出処理機２００から送信された売上金額情報を記憶する売上金額管理データベース５６０（図８−１）および累積売上金額管理データベース５７０（図９−１）、累積売上金額判定テーブル５９０（図１０）内の内容を表示する機能を備えており、ＣＲＴや液晶ディスプレイなどのモニタにより構成される。表示制御部５４５は、表示部５４０による表示を制御する表示制御機能を備えている。
【００５２】
通信Ｉ／Ｆ５５０は、玉貸出処理機２００の通信Ｉ／Ｆ２２１（図６）および中継器４００を介して各玉貸出処理機２００による売上情報を通信により受信する機能を備えている。
【００５３】
売上金額管理データベース５６０は、玉貸出処理機２００から送信された売上金額情報を玉貸出処理機２００の本体ＩＤ別のカードＩＤに対応させ、取引状況（取引ＩＤ）に応じて記憶／格納し、管理する機能を備えている。
【００５４】
累積売上金額算出部５７０は、売上金額管理データベース５６０に記憶された売上金額の累積（合計値）を、玉貸出処理機２００の本体ＩＤ毎の累積売上金額として算出する機能を備えている。
【００５５】
累積売上金額管理データベース５７５は、玉貸出処理機２００から送信されるとともに、売上金額管理データベース５６０に記憶された各玉貸出処理機２００別（本体ＩＤ別）の売上金額の累積値（合計値）を累積売上金額算出部５７０により算出し、この算出された累積売上金額を玉貸出処理機２００の本体ＩＤに関連付けて記憶／格納する機能を備えている。
【００５６】
累積売上金額判定部５８０は、玉貸出処理機２００に備えている投入金額記憶データベース２８０（図７−１）に記憶／格納されている累積投入金額Ａと、累積売上金額管理データベース５７０（図８−１）に記憶／格納されている累積売上金額Ｂとを照合／比較して、両者の金額に差異があるかを判定する機能を備えている。なお、この累積売上金額判定部５８０による累積投入金額Ａと累積売上金額Ｂとの照合および判定は、累積売上金額判定テーブル５９０（図１０）に基づいておこなわれる。
【００５７】
以下、図８−１、図８−２および図９−１、図９−２を参照して、売上金額管理データベース５６０および累積売上金額管理データベース５７５の詳細について説明する。
【００５８】
図８−１は、売上金額管理データベース５６０の構成内容を示している。すなわち、図８−１に示すように、売上金額管理データベース５６０は、遊技店に設置された玉貸出処理機２００を個別に特定する本体ＩＤ（Ａ××××１０・・・）と、玉貸出処理機２００に内蔵されたメモリカード２３０（図５）のカードＩＤに関連付けて、取引時（遊技客による紙幣投入時）に設定される取引ＩＤ欄５６２と、玉貸出処理機２００から紙幣の投入時（取引ＩＤ毎）に送信される売上金額情報が記憶される売上金額欄５６３と、累積売上金額欄５６４とにより構成されている。
【００５９】
図８−２は、玉貸出処理機２００からの売上情報の送信にともない作成された売上金額管理データベース５６０の一例を示している。すなわち、図８−２に示すように、売上金額データベース５６０には、玉貸出処理機２００からの売上金額情報の送信にともなって、取引ＩＤ（Ｓ００１〜Ｓ００×）の設定とともに、送信された紙幣の売上金額情報（１０００〜××××）が記憶されることとなる。また、この売上金額管理データベース５６０は、売上金額情報の送信にともなって、逐次、累積更新され、更新された累積売上金額は、累積金額欄５６４に記憶／格納されることとなる。本例では、取引ＩＤ（Ｓ００１〜Ｓ００×）による累積投入金額が、６５７０００円であることを示している。
【００６０】
図９−１は、累積売上金額管理データベース５７５の構成内容を示している。すなわち、図９−１に示すように、累積売上金額管理データベース５７５は、遊技店に設置された玉貸出処理機２００を個別に特定する本体ＩＤ（Ａ××××１０、Ａ××××１１〜）と、取引期日に関連付けて、売上金額の累積値が記憶／格納される累積売上金額欄５７６により構成されている。
【００６１】
また、図９−２は、玉貸出処理機２００から送信された売上金額情報に基づいて、作成された累積売上金額管理データベース５７０の一例を示している。すなわち、図９−１に示すように、玉貸出処理機２００から送信された売上金額情報にともなって、玉貸出処理機２００の本体ＩＤ別（Ａ××××１０、Ａ××××１１〜）に算出された売上金額の累積値が累積売上金額欄５７６に記憶／格納されることとなる。なお、累積金額欄５７６に記憶される累積売上金額は、累積売上金額算出部５７０（図３）により算出される。
【００６２】
累積売上金額判定テーブル５９０は、売上金額記憶データベース５６０（図８−１）に記憶／格納されている累積売上金額Ａと、累積売上金額管理データベース５７５（図８−１）に記憶／格納されている累積売上金額Ｂとを照合／比較して、両者の金額に差があるか否かを判定するテーブルである。
【００６３】
次いで、図１０を参照して、累積売上金額判定テーブル５９０の詳細について説明する。図１０は、累積売上金額判定テーブル５９０の一例を示す図である。すなわち、累積売上金額判定テーブル５９０は、各玉貸出処理機２００の本体ＩＤ（識別符号）に対応して、累積投入金額Ａが格納される累積投入金額欄５９１と累積売上金額Ｂが格納される累積売上金額欄５９２と、両者（累積投入金額Ａと累積売上金額Ｂ）の照合による差異の判定結果欄５９３とを備えて構成されている。
【００６４】
すなわち、図１０に示すように、累積売上金額判定テーブル５９０の累積売上金額Ａには、玉貸出処理機２００に備えた投入金額記憶データベース２８０により記憶された投入金額に基づいて、累積投入金額算出部２８１（図６）により算出された累積投入金額された売上金額が格納される。
【００６５】
一方、累積売上金額Ｂには、管理サーバ５００に備えた売上金額管理データベース５６０により記憶された売上金額に基づいて、累積売上金額算出部５７０（図３）により算出された累積売上金額Ｂが格納される。そして、これら累積投入金額Ａと累積売上金額Ｂとに差がある場合には、累積売上金額判定部５８０（図２）による判定は、ＮＧとなり、管理サーバ５００から中央管理センタ６００に対して、の旨を通知する警報が報知されることとなる。具体的には、管理装置５００から中央管理センタ６００に対して、累積売上情報に差異がある旨が送信されることとなる。
【００６６】
そして、この図１０では、本体ＩＤ（Ａ××××１０）の玉貸出処理機２００の場合、累積投入金額Ａが６５７０００円であり、累積売上金額算出部５７０により算出された累積売上金額Ｂが６５７０００円であることを示しており、この場合、両者の累積金額が一致するため、判定結果はＯＫとなっている。
【００６７】
一方、本体ＩＤ（Ａ××××１１）の玉貸出処理機２００の場合、累積投入金額Ａが５５７０００円であり、累積売上金額算出部５７０により算出された累積売上金額Ｂが５４００００円であることを示しており、この場合、両者の累積金額が一致しないため、判定結果はＮＧとなっている。前述したように、両者の累積金額が一致しない場合、管理サーバ５００から中央管理センタ６００に対して、警報が報知されることとなる。
【００６８】
（中央管理センタの構成）
次に、図４を参照して、中央管理センタ６００（カード会社）の構成および機能の詳細について説明する。図４に示すように、中央管理センタ６００は、管理サーバ５００から送信される遊技店別の類型売上金額情報を統括的に収集する中央管理コンピュータ６１０を備えており、この中央管理コンピュータ６１０は、中央管理コンピュータ６１０の全体制御をおこなう制御部６１１と、各遊技店の売上実績などを表示する表示部６１２と、操作をおこなう操作部６１３と、記憶部６１４と、管理サーバ５００の通信Ｉ／Ｆ５５０と通信をおこなう通信Ｉ／Ｆ６１５とを備えている。この中央管理センタ６００は、各遊技店に配置された管理サーバ５００との間で相互に通信をおこなうことにより、管理サーバ５００が取得した玉貸出処理機２００の売上金額情報に基づいて、各遊技店ごとの総売上集計、各玉貸出処理機２００の管理などをおこなう機能を備えている。
【００６９】
（玉貸出処理機２００の構成）
次に、玉貸出処理機２００およびパチンコ機１００について説明する。図５は、本実施例で適用する玉貸出処理機２００およびパチンコ機１００の外観を示した正面図、図６は、玉貸出処理機２００の内部構成を示す機能ブロック図である。
【００７０】
図５に示すように、玉貸出処理機２００は、外見上縦長に構成したもので、本体部２１０とＢＶユニット部２５０（紙幣収納ユニット）とにより構成されている。ＢＶユニット部２５０は、本体部２１０よりも前方に向けて僅かに突出するように形成され、このＢＶユニット部２５０は、リモコンによる「解錠指示操作」により本体部２１０から自動的に取り出し可能に構成されている。
【００７１】
また、本体部２１０の前面パネルには、上から順に表示ランプ２１１と、表示部２１２と、リモコン用受光部２１３と、メモリカード確認窓２１８とを備えている。このメモリカード確認窓２１８の内部には、メモリカード２３０（図６）が装着されている。このメモリカード２３０には、予め固有のカードＩＤ（Ｃ××××１０、Ｃ×××１１〜）が記録されている。また、ＢＶユニット部２５０は、紙幣を投入するための紙幣投入／返却口２５５を備えている。
【００７２】
ここで、玉貸出処理機２００には、予め個別の本体ＩＤ（識別符号）が付与されている。この本体ＩＤ（識別符号）とは、玉貸出処理機２００が工場出荷時に付与されるユニークな識別符号（Ａ××××１０、Ａ××××１１〜）のことを示している（図７−１）。
【００７３】
表示ランプ２１１は、後述する制御部２２０からの制御信号に基づいて点灯し、この点灯により紙幣の受け付け可能状態を遊技客に報知する機能を備えている。表示部２１２は、玉貸出処理機２００の状態（エラー発生、解錠可能状態）を表示（緑色／赤色のランプ表示）により報知する機能を備えている。
【００７４】
リモコン用受光部２１３は、リモコンにより送信された送信信号に基づいて、玉貸出処理機２０のエラー状態をリセットするエラーリセット信号、解錠指示信号を受信する機能を具備している。電源部２１４は、玉貸出処理機２００に対して、ＡＣ電源（１００Ｖ）による電圧を供給するための電源部である。
【００７５】
メモリカード確認窓２１８は、玉貸出処理機２００の内部にメモリカード（カード媒体）２３０が装着されていることを確認する確認窓としての機能を備えている。前述したように、このメモリカード２３０には、玉貸出処理機２００の本体ＩＤ（Ａ××××１０、Ａ××××１１〜）に対応付けて、固有のカードＩＤ（Ｃ××××１０、Ｃ××××１１〜）が記録されている。
【００７６】
通信Ｉ／Ｆ２２１は、管理サーバ５００の通信Ｉ／Ｆ５５０（図３）に対して、主に玉貸出処理機２００に投入された投入金額情報を売上金額情報として送信する機能を備えている。
【００７７】
制御部２２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、パチンコ機１００に対する玉投出機能を具備する玉貸制御部２２５を備えている。
【００７８】
カードＩＤ記憶部２３１は、メモリカード２３０を特定するカードＩＤを記憶／格納する機能を備えている。ここで、玉貸出処理機２００の内部にメモリカード２３０が装着された時に、このメモリカード２３０には、玉貸出処理機２００の本体ＩＤ（識別符号）に対応して、固有のカードＩＤが作成され、このカードＩＤは、このカードＩＤ記憶部２３１とメモリカード２３０とに記録されるものとなる。なお、玉貸出処理機２００およびメモリカード２３０が交換された場合には、同様のカードＩＤが新たに内蔵されたメモリカード２３０に記録されることとなる。
【００７９】
ＢＶユニット部２５０は、紙幣挿入／返却口２５５と、紙幣収納部２５１と、紙幣識別部２５２と、ＢＶユニット制御部２６０と、ＢＶロック機構部２７０とを備えている。紙幣挿入／返却口２５５は、紙幣（例えば、１０００円札）を受け入れるとともに、不良紙幣を返却するための開口である。この紙幣挿入／返却口２５５から受け入れた紙幣は、ＢＶユニット部２５０の紙幣収納部２５１に取り込むれる。
【００８０】
紙幣収納部２５１は、遊技客により紙幣挿入／返却口２５５から挿入された紙幣を整列状態で収納する機能を備えている。紙幣識別部２５２は、遊技客により紙幣挿入／返却口２５５から挿入された紙幣に対する金額情報の判定（識別）および金額情報を記憶する紙幣処理機能を備えており、遊技客により挿入された紙幣を受け入れて識別し、正常と判定される紙幣については、その識別結果および金額情報を主制御部２２０に通知する機能を備えている。一方、不良紙幣と識別した紙幣は、そのまま紙幣挿入／返却口２５５を通じて返却する機能を備えている。
【００８１】
ＢＶユニット制御部２６０は、管理サーバ５００より解錠を許可する旨を通知された後に、リモコンにより解錠を指示する旨を通知された場合、ＢＶユニット部２５０の解錠をおこなうように制御する処理部である。
【００８２】
ＢＶロック機構部２７０は、「係員」が所持するリモコンによる操作により解錠を指示する旨（解錠指示通知）が送信された場合に、ロックを解錠する機能を備えている。「係員」が玉貸出処理機２００のリモコン用受光部２１３に向けて、リモコンの個別解錠ボタンをＯＮ操作するとＢＶユニット部２５０が玉貸出処理機２００の前方に突出するとともに、紙幣収納部２５１が開口する機構となっている。これにより、紙幣収納部２５１に収納された紙幣を回収することができる。
【００８３】
投入金額記憶データベース２８０は、実際に遊技客により投入された紙幣の有価価値（金額）および投入金額の合計値（累積値）を、玉貸出処理機２００の本体ＩＤおよびカードＩＤに関連付けて記憶／格納する機能を備えている。
【００８４】
累積投入金額算出部２８１は、投入金額記憶データベース２８０に記憶／格納された遊技客による投入金額の合計値（累積値）を算出する機能を備えている。
【００８５】
以下、図７−１、図７−２を参照して、投入金額記憶データベース２８０の詳細について説明する。
【００８６】
図７−１は、投入金額記憶データベース２８０の構成内容を示している。すなわち、図７−１に示すように、投入金額記憶データベース２８０は、遊技店に設置された玉貸出処理機２００を個別に特定する本体ＩＤ（Ａ××××１０）と、玉貸出処理機２００に内蔵されたメモリカード２３０（図６）のカードＩＤに関連付けて、取引時（遊技客による紙幣投入時）に設定される取引ＩＤ欄２８１と、遊技客が実際に玉貸出処理機２００に投入した紙幣の金額が記憶される投入金額欄２８３と、累積投入金額欄２８４とにより構成されている。なお、この累積投入金額欄２８４に記憶／格納される累積投入金額は累計投入金額算出部２８１（図６）により算出される。そして、投入金額記憶データベース２８０には、遊技客が玉貸出処理機２００に紙幣を投入する都度、記憶データとして格納され、この投入金額記憶データベース２８０内の投入金額情報は、売上金額情報として、リアルタイムで管理サーバ５００に対して通知される。
【００８７】
図７−２は、遊技客による紙幣の投入にともない作成された投入金額記憶データベース２８０の一例を示している。すなわち、図７−２に示すように、投入金額記憶データベース２８０には、遊技客による紙幣の投入にともなって、取引ＩＤ（Ｓ００１〜Ｓ００×）の設定とともに、投入された紙幣の金額情報（１０００〜××××）が記憶されることとなる。また、この投入金額記憶データベース２８０は、遊技客による紙幣の投入にともなって、逐次、累積更新され、更新された累積投入金額は、累積投入金額欄２８４に記憶／格納される。本例では、取引ＩＤ（Ｓ００１〜Ｓ００×）による累積投入金額が、６５７０００円であることを示している。この投入金額記憶データベース２８０に記憶された投入金額は、売上金額情報としてリアルタイムで管理サーバ５００に送信されるものとなる。
【００８８】
（パチンコ機１００の構成および機能の詳細）
次に、図５に示したパチンコ機１００の詳細について説明する。図５に示すように、パチンコ機１００は遊技領域１１０および下方に設けた上皿１２０とにより構成され、その内部には玉投出機構部１３０が設けてある。この玉投出機構部１３０は、玉貸出処理機２００の制御部２２０の玉貸制御部２２５から貸玉投出要求が与えられた場合、並びにパチンコ機１００による賞玉投出要求が与えられた場合に、それぞれパチンコ機１００の上皿１２０に所定数のパチンコ玉を投出する部分である。同図に示すように、このパチンコ１００の前面上部は遊技者がパチンコ遊技を行う遊技領域であり、このパチンコ機１００の内部には玉投出機構１３０が設けられ、また、前面下部の上皿１２０には度数表示部１２１と、貸出ボタン１２２と、返却ボタン１２３とが設けられている。
【００８９】
度数表示部１２１は、遊技客により玉貸出処理機２００に投入された紙幣の有価価値および遊技にともない減算する有価価値残高を数値（度数）として表示する表示部としての機能を備えている。
【００９０】
貸出ボタン１２２は、遊技客が玉の貸し出しを受ける際に押下するボタンであり、この貸出ボタン１２２の押下（ＯＮ）に応じて、玉貸出処理機２００からパチンコ機１００に対してパチンコ玉が投出されるとともに、管理サーバ５００により管理されている残度数が減算される。
【００９１】
玉投出機構部１３０は、パチンコ玉の貸出用と、パチンコ機１００における入賞時の賞玉の払出し用との両方を兼用している。従って、この玉投出機構１３０は、直接、あるいは、パチンコ機１００のコントローラを介して間接的に、玉貸出処理機２００によって制御される。なお、上述した度数表示部１２１なども同様に玉貸出処理機２００からの指示に従ってその表示内容が更新され、上述した貸出ボタン１２２などの操作状況は、パチンコ機１００から玉貸出処理機２００へと通知される。
【００９２】
（遊技媒体貸出管理システムにおける基本制御手順）
図１１は、本実施例に係る遊技媒体貸出管理システムの基本制御手順を示すフローチャートである。すなわち、本発明の遊技媒体貸出システムは、大別して（１）投入金額識別工程（ステップＳＡ１１０）と、（２）投入金額記憶工程（ステップＳＡ１２０）と、（３）玉貸出処理工程（ステップＳＡ１３０）と、（４）累積投入金額更新工程（ステップＳＡ１４０）と、（５）売上金額送信工程（ステップＳＡ１５０）と、（６）売上金額記憶工程（ステップＳＡ１６０）と、（７）累積売上金額記憶工程（ステップＳＡ１７０）と、（８）累積売上金額判定工程（ステップＳＡ１８０）との８つの処理工程により構成されている。まず、これら（１）〜（９）の各制御工程について簡単に説明する。
【００９３】
（１）投入金額識別工程（ステップＳＡ１１０）
投入金額識別工程は、遊技客により紙幣挿入／返却口２５５（図５）から投入された紙幣が正常であるか否か（真偽）を判定するとともに、投入された紙幣の有価価値（金額）を識別する処理工程である。なお、投入された紙幣の真偽は、ＢＶユニット部２５０の紙幣識別部２５２（図６）によりおこなわれる。
【００９４】
（２）投入金額記憶工程（ステップＳＡ１２０）
投入金額記憶工程は、玉貸出処理機２００の本体ＩＤおよびカードＩＤに対応付けて、遊技客から投入された投入（売上）金額を記憶する処理工程である。この投入金額記憶工程により記憶される紙幣の有価価値情報は、玉貸出処理機２００に備えた投入金額記憶データベース２８０（図７−１）にカードＩＤに対応付けて取引ＩＤ毎に投入金額が記憶される。
【００９５】
（３）玉貸出処理工程（ステップＳＡ１３０）
玉貸出処理工程は、玉貸出処理機２００からパチンコ機１００に対して玉の貸し出し処理をおこなう処理工程である。具体的には、遊技客によって玉貸出処理機２００に対して現金（紙幣）が投入された際、この玉貸出処理機２００からパチンコ機１００に対して、玉を貸し出す玉貸し出し命令を通知する処理工程である。
【００９６】
（４）累積投入金額更新工程（ステップＳＡ１４０）
累積投入金額更新工程は、投入金額記憶工程により記憶された玉貸出処理機２００の本体ＩＤおよびカードＩＤ別の累計投入金額を、遊技客による紙幣の投入にともなって更新する処理工程である。
【００９７】
（５）売上金額送信工程（ステップＳＡ１５０）
売上金額送信工程は、玉貸出処理機２００に対する遊技客からの投入金額情報を売上金額情報として、玉貸出処理機２００の本体ＩＤおよびカードＩＤに対応付けて管理サーバ５００に対して送信する処理工程である。具体的には、遊技客によって玉貸出処理機２０に対して現金（紙幣）が投入された際、投入された紙幣による売上情報を玉貸出処理機２００の本体識別ＩＤに関連付けて管理サーバ５００に対して通知する処理工程である。
【００９８】
（６）売上金額記憶工程（ステップＳＡ１６０）
売上金額記憶工程は、玉貸出処理機２００から送信された売上金額を記憶する処理工程である。
【００９９】
（７）累積売上金額記憶工程（ステップＳＡ１７０）
累積売上金額記憶工程は、玉貸出処理機２００に実際に投入された投入金額の累積値（合計値）を累積投入金額Ａとして、記憶する処理工程である。なお、この累積売上金額記憶工程による累積投入金額の算出は累計投入金額算出部２８１（図６）によりおこなわれる。
【０１００】
（８）累積売上金額判定工程（ステップＳＡ１８０）
累積売上金額判定工程は、玉貸出処理機２００において、実際に投入された投入金額の累積値（合計値）である累積投入金額Ａと、管理サーバ５００の累積売上金額算出部５８０（図３）により算出された累積売上金額Ｂとの間に所定以上の差異があるかを判定する処理工程である。なお、この累積売上金額判定工程により、玉貸出処理機２００に実際に投入された投入金額の累積（合計）である累積投入金額Ａと、管理サーバ５００により累計された累積売上金額Ｂとに差異があると判定された場合に、中央管理センタ６００に対して累計金額に差異がある旨の警報が報知されることとなる。
【０１０１】
（遊技媒体の貸し出し管理手順）
次に、図１２のフローチャートを参照して、本実施例における遊技媒体の貸出管理手順を詳細に説明する。この図１２に示すフローチャートは、遊技店に設置された玉貸出処理機２００と管理サーバ５００との間でおこなわれる遊技媒体（パチンコ玉）の貸出管理手順を示している。
【０１０２】
ここで、以下の図１２に示すフローチャートでは、玉貸出処理機２００を特定する本体ＩＤ（識別符号）を「Ａ××××１０」とし、本体ＩＤ（識別符号）に対応するカードＩＤを「Ｃ×××××１」とし、遊技客により投入される紙幣による金額（有価価値）は、１０００円札の紙幣を例として説明する。
【０１０３】
また、管理サーバ５００に対する売上金額および累積売上金額の送信および管理サーバ５００による累積売上金額のチェック（判定）は、玉貸出処理機２００による玉貸出処理時におこなうものとして説明する。
【０１０４】
すなわち、図１２のフローチャートに示すように、玉貸出処理機２００は、遊技客による紙幣（貨幣）の投入待ち状態（待機状態）となっており（ステップＳ１１０）、以下、遊技客により玉貸出処理機２００の紙幣投入／返却口２５５（図６）に紙幣（１０００円札）が投入されると（ステップＳ１１５）、次いで、この遊技客により投入された紙幣の真偽を判定する紙幣真偽判定処理に移行する（ステップＳ１２０）。このステップＳ１２０による、紙幣の真偽判定は、ＢＶユニット部２５０（図６）の紙幣識別部２５２によりおこなう。
【０１０５】
具体的には、遊技客により投入された紙幣が、正常な紙幣か正常でない紙幣かの判定をおこない（ステップＳ１３０）、そして、このステップＳ１３０の判定により、投入された紙幣が正常な紙幣（真）と判定された場合には（ステップＳ１３０肯定）、次いで、この投入された紙幣の金額（有価価値）の識別判定に移行する（ステップＳ１４０）。具体的には、遊技客により紙幣投入／返却口２５５から投入された紙幣の有価価値（投入金額）を識別することとなる。本例では、このステップＳ１４０により判定された紙幣の有価価値は、１０００円として以下、説明する。
【０１０６】
なお、ステップＳ１３０の判定により、投入された紙幣が不良紙幣と判定された場合には（ステップＳ１３０否定）、この不良と判定された紙幣は紙幣投入／返却口２５５を通じて返却され（ステップＳ１４５）、以下、処理を終了する（エンド）。
【０１０７】
次いで、玉貸出処理機２００は、紙幣の投入による投入金額を入金金額として投入金額記憶データベース２８０（図７−１）に、記憶／格納する（ステップＳ１５０）。具体的には、玉貸出処理機２００の本体ＩＤ（Ａ××××１０〜）およびメモリカード２３０のカードＩＤ（Ｃ×××××１〜）に関連付けて、取引ＩＤ（Ｓ００１）と入金金額情報（投入金額）である１０００円が記憶される（図７−２）。
【０１０８】
以下、この投入金額記憶データベース２８０において、遊技客による紙幣の投入にともなって、累積投入金額は更新（累積投入金額Ａ）されて記憶されることとなる（ステップＳ１６０）。
【０１０９】
以下、玉貸出処理機２００は、パチンコ機１００に対する遊技媒体に貸し出し処理（玉貸出処理）に移行する（ステップＳ１７０）。
【０１１０】
具体的には、玉投出機構部１３０（図５）により１０００円分の玉の貸し出し処理がおこなわれ、これにより、パチンコ機１００の上皿１２０には、１０００円分のパチンコ玉の投出がおこなわれ、遊技客による遊技が可能となる。
【０１１１】
以下、玉貸出処理機２００は、管理サーバ５００に対して、遊技客による投入金額情報を売上金額情報として、通信Ｉ／Ｆ２２１（図５）を通じて管理サーバ５００の通信Ｉ／Ｆ５５０（図３）に対して、玉貸出処理機２００の本体ＩＤおよびカードＩＤに関連付けた売上金額情報の送信をおこなう（ステップＳ１８０）。
【０１１２】
本例では、玉貸出処理機２００を示す本体ＩＤ（「Ａ××××１０」）およびカードＩＤ（「Ｃ×××××１」）に関連付けられて、ステップＳ１１５で投入された紙幣の有価価値情報（金額）を示す１０００円が管理サーバ５００に対して送信される。
【０１１３】
一方、管理サーバ５００では、玉貸出処理機２００から送信された売上金額情報を受信すると（ステップＳ１９０肯定）、次いで、この受信した売上金額情報を売上金額管理データベース５６０（図８−１）内に格納する（ステップＳ２００）。以下、管理サーバ５００では、玉貸出処理機２００から送信される売上金額情報の受信にともなって、累積売上算出部５７０により累積売上金額を更新（累積売上金額Ｂ）し、この累積売上金額Ｂを累積売上金額管理データベース５７５（図９−１）に記憶／格納する（ステップＳ２１０）。具体的には、売上金額管理データベース５６０（図８−２）に格納された売上金額に基づいて、累積売上金額算出部５７０（図３）により、売上金額の累積金額（累積売上金額Ｂ）を算出する。
【０１１４】
次いで、管理サーバ５００では、遊技店の閉店処理かの判定により（ステップＳ２２０）、このステップＳ２２０の判定により閉店処理であると判定された場合には（ステップＳ２２０肯定）、次いで、玉貸出処理機２００に対する累積売上金額の送信依頼処理に移行する。具体的には、玉貸出処理機２００に対して、累積投入金額の送信依頼を通知する（ステップＳ２２５）。
【０１１５】
ここで、本例では、遊技店の閉店時に玉貸出処理機２００から累積投入金額情報を送信する例として説明しているが、これに限らず、前述したように、玉貸出処理機２００から管理サーバ５００に対して送信する累積投入金額情報の通知タイミングは、管理サーバ５００から累積売上金額情報の送信指示が通知され時に、玉貸出処理機２００によるパチンコ機１００に対する玉貸処理時としている。なお、この玉貸処理時以外にも、玉貸出処理機２００本体の電源ＯＮ時（遊技店の開店時、玉貸出処理機２００の交換時）、上位装置である管理サーバ５００からの送信要求指示がある場合を条件とすることができる。
【０１１６】
一方、玉貸出処理機２００は、管理サーバ５００からの「累積投入金額情報の送信依頼通知」を受信すると（ステップＳ２２１肯定）、投入金額記憶データベース２８０（図７−２）に記憶された投入金額に基づいて、累積投入金額算出部２８１（図６）により累積投入金額を算出し、この累積投入金額算出部２８１により算出された投入金額の合計値（累積投入金額Ａ）を、管理サーバ５００に対して送信する（ステップＳ２２２）。
【０１１７】
以下、管理サーバ５００では、玉貸出処理機２００から累積投入金額Ａの送信があるか否かの判定により（ステップＳ２３０）、累積投入金額Ａを受信した場合（ステップＳ２３０１肯定）、この累積投入金額Ａを取得し（ステップＳ２４０）、以下、この累積投入金額Ａと、前記ステップＳ２１０により算出された累積売上金額Ｂとの照合をおこなう（ステップＳ２５０）。
【０１１８】
すなわち、次のステップＳ２６０により、累積投入金額Ａと累積売上金額Ｂとの間で、累積金額に所定以上の差異があるか否かの判定をおこない（ステップＳ２６０）、このステップＳ２６０の判定により、両者（累積投入金額Ａと累積売上金額Ｂ）の累積売上金額に所定以上の差異がないと判定された場合には（ステップＳ２６０否定）、累積売上金額Ｂがそのまま遊技店の売上実績金額として、中央管理センタ６００に送信され、この中央管理センタ６００により遊技店の売上状況が統括的に管理されることとなる（エンド）。
【０１１９】
具体的に説明すると、図１０に示す累積売上金額判定テーブル５９０において、本体ＩＤ（Ａ××××１０）の玉貸出処理機２００の場合、累積投入金額Ａが６５７０００円であり、一方、管理サーバ２００で算出された累積売上金額Ｂも同額の６５７０００円であるため、両者に差異は発生していない、この場合、累積売上金額Ｂの６５７０００円は、そのまま売上実績金額として中央管理センタ６００に送信されることとなる。
【０１２０】
一方、ステップＳ２６０の判定により、両者（累積投入金額Ａと累積売上金額Ｂ）の累積売上金額に所定以上の差異があると判定された場合には（ステップＳ２６０肯定）、この管理サーバ５００から中央管理センタ６００に対して、「累積売上金額に相違がある旨」が警報として通知される（ステップＳ２７０）。
【０１２１】
具体的に説明すると、図１０示す累積売上金額判定テーブル５９０において、本体ＩＤ（Ａ××××１１）の玉貸出処理機２００の場合、累積投入金額Ａが５５７０００円であり、一方、管理サーバ２００で算出された累積売上金額Ｂが５４００００円であるため、両者に差異が発生しているため、この場合、取引情報の間引きなど何らかの不正があったとして、管理サーバ５００から中央管理センタ６００に対して、「累積売上金額に相違がある旨」が警報として通知される。
【０１２２】
以上説明したように、本実施例に係る遊技媒体貸出管理システムによれば、貸出処理機に対して、遊技客が実際に投入（入金）した紙幣による累積投入金額Ａと、玉貸出処理機２００から売上金額情報として管理サーバ５００に送信し、算出された累積売上金額とを照合するとともに、両者の累積売上金額に所定以上の差異がある場合には、異常として、中央管理センタ（カード会社）に対して、警報を報知するようにしているので、遊技店の売上状況を中央管理センタで確実に把握（管理）することができる。また、管理装置からの警報の報知に基づいて、実際に遊技客により投入された投入金額の累積値（合計値）と、貸出処理機から管理サーバに送信された売上金額情報との累計値（合計値）とに差異が発生したことを迅速に把握することができ、これによって、遊技店の不正（取引情報の間引き）を確実に発見することができる。
【０１２３】
（他の実施例）
さて、これまで本発明の実施例について説明したが、本発明は上述した実施例以外にも、上記特許請求の範囲に記載した技術的思想の範囲内において種々の異なる実施例にて実施されてもよいものである。
【０１２４】
すなわち、本実施例では、本発明に係る遊技媒体貸出システムをパチンコ遊技に適用した場合を示しているが、本発明の遊技媒体貸出システムは、パチンコ遊技に限定することなく、例えば、パチスロ機による遊技媒体貸出システムにも好適に適用することができる。
【０１２５】
また、玉貸出処理機２００における他の構成要件としては、工場出荷以来の玉貸金額を記憶することができる『累積投入金額記憶部』を備えることとし、この累積投入金額記憶部による金額情報を、遊技店の閉店処理時に、管理サーバ２００に送信するシステム構成としてもよい。なお、原則として『累積投入金額記憶部』の記憶内容は階竄できないものとする。
【０１２６】
また、管理サーバ２００の他の機能としては、玉貸出処理機２００から受け取った累積投入金額情報から、前回の閉店処理時に受け取った累積投入金額情報を減算して、今回の期間内（通常は１日）の売上金額を算出するようにしてもよい。この場合、算出された売上金額と、その期間内にリアルタイムで受け取った売上情報の合計金額と比較し、両者に所定以上の差異があるか否かを判定する。
【０１２７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【産業上の利用可能性】
【０１２８】
以上のように、本発明に係る遊技媒体貸出管理システムは、貸出処理機による売上金額情報を統括的に管理する中央管理センタ（カード会社）に対して、遊技店の売上金額情報を正確に管理することができる遊技媒体貸出管理システムに適している。
【図面の簡単な説明】
【０１２９】
【図１】本実施例に係る遊技媒体貸出管理システムの概要を示す説明図である。
【図２】本実施例に係る遊技媒体貸出管理システムの概略構成を示す機能ブロック図である。
【図３】図２に示した管理サーバの構成を示す機能ブロック図である。
【図４】図２に示した中央管理センタの構成を示す機能ブロック図である。
【図５】図２に示した玉貸処理機およびパチンコ機の外観正面図である。
【図６】玉貸出処理機の内部構成を示す全体機能ブロック図である。
【図７−１】投入金額記憶データベースの構成内容を示す図である。
【図７−２】同投入金額データベースによる投入金額記憶時の構成内容を示す図である。
【図８−１】売上金額管理データベースの構成内容を示す図である。
【図８−２】同売上金額データベースによる売上金額記憶時の構成内容を示す図である。
【図９−１】累積売上金額管理データベースの構成内容を示す図である。
【図９−２】同累積売上金額データベースによる累積売上金額記憶時の構成内容を示す図である。
【図１０】累積売上金額判定テーブルの構成内容を示す図である。
【図１１】本実施例に係る遊技媒体貸出管理システムの基本制御手順を示すフローチャートである。
【図１２】本実施例に係る遊技媒体貸出管理システムの全体処理手順を示すフローチャートである。
【符号の説明】
【０１３０】
１００  パチンコ機
１１０  遊技領域
１２０  上皿
１２１  度数表示部
１２２  貸出ボタン
１２３  返却ボタン
１３０  玉投出機構部
２００  玉貸出処理機
２１０  本体部
２１１  表示ランプ
２１２  表示部
２１３  リモコン受光部
２１４  電源部
２１８  メモリカード確認窓
２２０、５１０  制御部
２２１、５５０、６３０  通信Ｉ／Ｆ
２２５  玉貸出制御部
２３０  メモリカード
２３１  カードＩＤ記憶部
２５０  ＢＶユニット部
２５１  紙幣収納部
２５２  紙幣識別部
２５５  紙幣挿入／返却口
２６０  ＢＶユニット制御部
２７０  ＢＶロック機構部
２８０  投入金額記憶データベース
２８１  累積投入金額算出部
２８２、５６２  取引ＩＤ欄
２８３、５６３  投入金額欄
２８４、５６４、５７１  累積金額欄
３００  島コントローラ
４００  中継器
５００  管理サーバ
５２０  入力部
５３０  出力部
５４０、６２０  表示部
５４５  表示制御部
５６０  売上金額管理データベース
５７０  累積売上金額算出部
５７５  累積売上金額管理データベース
５８０  累積売上金額判定部
５９０  累積売上金額判定テーブル
６００  中央管理センタ
６１０  中央管理コンピュータ
【図１】
2006141792.tif 000003
【図２】
2006141792.tif 000004
【図３】
2006141792.tif 000005
【図４】
2006141792.tif 000006
【図５】
2006141792.tif 000007
【図６】
2006141792.tif 000008
【図７−１】
2006141792.tif 000009
【図７−２】
2006141792.tif 000010
【図８−１】
2006141792.tif 000011
【図８−２】
2006141792.tif 000012
【図９−１】
2006141792.tif 000013
【図９−２】
2006141792.tif 000014
【図１０】
2006141792.tif 000015
【図１１】
2006141792.tif 000016
【図１２】
2006141792.tif 000017
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
遊技客によって投入された貨幣の有価価値に基づいて、遊技機に遊技媒体を貸し出す貸出処理機と、前記貨幣による投入金額情報を売上金額情報として取得する管理装置とを備えた遊技媒体貸出管理システムであって、
前記貸出処理機は、
前記遊技客により投入される貨幣を受け入れ可能な貨幣挿入手段と、
前記貨幣挿入手段から挿入された貨幣の有価価値を識別する有価価値識別手段と、
前記有価価値識別手段により識別された有価価値に応じて、遊技機に対して遊技媒体の貸し出し処理をおこなう貸出処理手段と、
前記貨幣による有価価値を投入金額として記憶する投入金額記憶手段と、
前記投入金額記憶手段により記憶された投入金額を、貸出処理機に付与された個別の識
別符号に関連付けた累積投入金額として算出する累積投入金額算出手段と、
前記投入金額記憶手段により記憶された投入金額を売上金額情報として、前記管理装置に送信するとともに、前記累積投入金額算出手段により算出された累積投入金額を前記管理装置へ送信する送信手段とを備え、
前記管理装置は、
前記貸出処理機から送信される売上金額情報を記憶する売上金額記憶手段と、
前記売上金額記憶手段により記憶された売上金額を、貸出処理機の識別符号に関連付けた累積売上金額として算出する累積売上金額算出手段と、
前記累積投入金額算出手段により算出された累積投入金額と、前記累積売上金額算出手段により算出された累積売上金額との差異を判定する累積売上金額判定手段と、
を備えることを特徴とする遊技媒体貸出管理システム。
【請求項２】
前記管理装置により累積される売上金額情報を管理する中央管理センタを備え、前記管理装置は、前記累積売上金額判定手段により、前記累積投入金額算出手段により算出された累積投入金額と、前記累積売上金額算出手段により算出された累積売上金額とに所定以上の差異があると判定された場合に、前記中央管理センタに対して、警報を報知する警報手段を備えることを特徴とする請求項１に記載の遊技媒体貸出管理システム。
【請求項３】
前記貸出処理機は、前記投入金額記憶手段により記憶される投入金額を格納する投入金額記憶データベースを備え、前記投入金額は、貸出処理機に内蔵されたカード媒体のカードＩＤに関連付けて、投入金額記憶データベースに格納されることを特徴とする請求項１または２に記載の遊技媒体貸出管理システム。
【請求項４】
前記貸出処理機は、前記累積投入金額記憶手段により記憶される累積投入金額を格納す
る累積投入金額記憶データベースを備え、前記累積投入金額は、貸出処理機に付与された個別の識別符号に関連付けて累積投入金額記憶データベースに格納されることを特徴とする請求項１、２または３に記載の遊技媒体貸出管理システム。
【請求項５】
前記管理装置は、前記売上金額記憶手段により記憶される売上金額を格納する売上金額記憶データベースを備え、前記売上金額は、貸出処理機に内蔵されたカード媒体のカードＩＤに関連付けて、売上金額記憶データベースに格納されることを特徴とする請求項１から４のいずれか一つに記載の遊技媒体貸出管理システム。
【請求項６】
前記管理装置は、前記累積売上金額記憶手段により記憶される累積売上金額を格納する累積売上金額データベースを備え、前記累積売上金額は、貸出処理機に付与された個別の識別符号に関連付けて累積売上金額記憶データベースに格納されることを特徴とする請求項１から５のいずれか一つに記載の遊技媒体貸出管理システム。
【請求項７】
前記貸出処理機から前記管理装置に対する投入金額情報の送信タイミングは、当該貸出処理機による遊技機に対する遊技媒体の貸出処理時、貸出処理機の電源投入時、前記管理装置からの送信要求時のいずれかであることを特徴とする請求項１〜６のいずれか一つに記載の遊技媒体貸出管理システム。
【請求項８】
前記貸出処理機から前記管理装置に対する累積投入金額情報の送信タイミングは、当該貸出処理機による遊技機に対する遊技媒体の貸出処理時、貸出処理機の電源投入時、前記管理装置からの送信要求時のいずれかであることを特徴とする請求項１〜７のいずれか一つに記載の遊技媒体貸出管理システム。
【請求項９】
前記累積売上金額判定手段による判定処理は、遊技店の閉店時間経過後におこなうことを特徴とする請求項１〜８のいずれか一つに記載の遊技媒体貸出管理システム。
【手続補正２】
【補正対象書類名】明細書
【補正対象項目名】全文
【補正方法】変更
【補正の内容】
【発明の詳細な説明】
【技術分野】
【０００１】
この発明は、貨幣（有価媒体）の受け入れにより、遊技媒体を貸し出す遊技媒体貸出管理システムに関し、特に、貸出処理機に投入された紙幣による累積投入金額と、管理サーバにより算出された累積売上金額とを照合することにより、中央管理センタ（カード会社センタ）によって、遊技店の売上状況を確実に把握／管理することができる遊技媒体貸出管理システムに関する。
【背景技術】
【０００２】
現在、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた識別ＩＤに基づく、有価価値に応じてパチンコ玉やメダルなどの遊技媒体を借り受ける遊技媒体貸出システム（プリペイドカードシステム）が一般的に採用されている（例えば、特許文献１参照）。
【０００３】
このような遊技媒体貸出システムによると、例えば、カード発行機により、１０００円分の有価価値があるプリペイドカードを購入し、このプリペイドカードをパチンコ機に隣接されたカード処理機（貸出処理機）に挿入することで１０００円分の遊技媒体（パチンコ玉など）を借り受け遊技をおこなうことができ、このプリペイドカードに予め記録（付与）された識別ＩＤに対応する１０００円がカード処理機に対する投入金額情報となる。そして、カード発行機によるカードの売上情報とカード処理機によるカードの利用情報とを管理装置で収集することにより売上金額を管理するシステムが構築されている。
【０００４】
このような従来のプリペイドカードなどを利用した遊技媒体貸出システム（プリペイドカードシステム）によるとプリペイドカードの識別ＩＤと売上金額とを関連付けることにより、カード毎の売上金額情報、残高情報を正確に把握することができ、これによって、各遊技店毎の総売上金額を正確に算出し管理することができる。
【０００５】
具体的に説明すると、管理装置は、各カード処理機から送信される投入金額情報を売上金額情報として収集し管理するとともに、この売上金額情報を中央管理センタ（カード会社）の中央管理コンピュータに送信するようにしている。このように、各遊技店毎の（遊技店内に設置されたカード処理機）売上金額情報を遊技店以外の中央管理センタ（カード会社）により統括的に管理することで、各遊技店の売上を明朗化とするＩＮのクリアシステムが構築されている。また、中央管理センタ（カード会社）では、各遊技店から収集された売上情報（売上実績）に基づいて、カードの使用料（システムの使用料金）を、遊技店から徴収するようにしている。
【０００６】
また、近年では、プリペイドカードなどのカード媒体を使用することなく遊技媒体の貸し出しをおこなう紙幣対応の貸出処理機が普及している。このような紙幣対応のＣＲ機では、遊技客が投入した紙幣による有価価値分の遊技媒体を貸し出すことができる。この紙幣対応の貸出処理機の場合、投入された紙幣の有価価値は、貸出処理機の内部に装着したメモリカード（カード媒体）のカードＩＤに関連付けて記憶されるとともに、貸出処理機の本体ＩＤ（識別符号）およびカードＩＤに対応付けられ、売上金額として管理装置に送信され、この売上金額の累積金額が管理装置（管理サーバ）により管理されている。
【０００７】
【特許文献１】特開２００３−１０３０１５号公報
【発明の開示】
【発明が解決しようとする課題】
【０００８】
ところが、上述した従来の遊技媒体貸出管理システムでは、以下に示すような問題がある。すなわち、前述したように、従来では貸出処理機の売上金額を管理サーバに送信し、管理サーバは、貸出処理機から送信された売上金額を累積（合計）することにより遊技店の売上実績を管理している。
【０００９】
また、中央管理センタは、管理サーバによって遊技店から売上金額情報（売上実績）の累積値（合計値）を収集し、この売上実績に基づいて、カードの使用料（システムの使用料金）を、遊技店から徴収するようにしている。
【００１０】
ところが、例えば、遊技店内部において、不正に売上金額を間引くなどの目的で、第三者機関が設置した管理装置ではなく、別の管理装置が接続された場合には、中央管理センタによって正確に遊技店による売上金額を把握することができなくなるという問題がある
。
【００１１】
さらに前述したように、中央管理センタは、管理サーバから送信さる売上金額情報に応じて、システムの使用料を徴収しているため、不正により正確なシステムの使用料を徴収できなくなるという問題がある。
【００１２】
そこで、この発明は、上述した従来技術による問題点を解決するためになされたものであり、第三者機関である中央管理センタ（カード会社）により、遊技店に備えた貸出処理機による売上実績を正確に把握することができるうえ、各遊技店による売上金額の明朗化の向上を図ることができる遊技媒体貸出管理システムを提供することを目的とする。
【課題を解決するための手段】
【００１３】
上述した課題を解決し、目的を達成するために、請求項１に記載の発明は、遊技客によって投入された貨幣の有価価値に基づいて、遊技機に遊技媒体を貸し出す貸出処理機と、前記貨幣による投入金額情報を売上金額情報として取得する管理装置とを備えた遊技媒体貸出管理システムであって、前記貸出処理機は、前記遊技客により投入される貨幣を受け入れ可能な貨幣挿入手段と、前記紙幣挿入手段から挿入された紙幣の有価価値を識別する有価価値識別手段と、前記有価価値識別手段により識別された有価価値に応じて、遊技機に対して遊技媒体の貸し出し処理をおこなう貸出処理手段と、前記貨幣による有価価値を投入金額として記憶する投入金額記憶手段と、前記投入金額記憶手段により記憶された投入金額を、貸出処理機に付与された個別の識別符号に関連付けた累積投入金額として算出する累積投入金額算出手段と、前記投入金額記憶手段により記憶された投入金額を売上金額情報として、前記管理装置に送信するとともに、前記累積投入金額算出手段により算出された累積投入金額を前記管理装置へ送信する送信手段とを備え、前記管理装置は、前記貸出処理機から送信される売上金額情報を記憶する売上金額記憶手段と、前記売上金額記憶手段により記憶された売上金額を、貸出処理機の識別符号に関連付けた累積売上金額として算出する累積売上金額算出手段と、前記累積投入金額算出手段により算出された累積投入金額と、前記累積売上金額算出手段により算出された累積売上金額との差異を判定する累積売上金額判定手段とを備えることを特徴とする。
【００１４】
また、請求項２に記載の発明は、請求項１に記載の発明において、前記管理装置により累積される売上金額情報を管理する中央管理センタを備え、前記管理装置は、前記累積売上金額判定手段により、前記累積投入金額算出手段により算出された累積投入金額と、前記累積売上金額算出手段により算出された累積売上金額とに所定以上の差異があると判定された場合に、前記中央管理センタに対して、警報を報知する警報手段を備えることを特徴とする。
【００１５】
また、請求項３に記載の発明は、請求項１または２に記載の発明において、前記貸出処理機は、前記投入金額記憶手段により記憶される投入金額を格納する投入金額記憶データベースを備え、前記投入金額は、貸出処理機に内蔵されたカード媒体のカードＩＤに関連付けて、投入金額記憶データベースに格納されることを特徴とする。
【００１６】
また、請求項４に記載の発明は、請求項１、２または３に記載の発明において、前記貸出処理機は、前記累積投入金額記憶手段により記憶される累積投入金額を格納する累積投入金額記憶データベースを備え、前記累積投入金額は、貸出処理機に付与された個別の識別符号に関連付けて累積投入金額記憶データベースに格納されことを特徴とする。
【００１７】
また、請求項５に記載の発明は、請求項１から４のいずれか一つに記載の発明において、前記管理装置は、前記売上金額記憶手段により記憶される売上金額を格納する売上金額記憶データベースを備え、前記売上金額は、貸出処理機に内蔵されたカード媒体のカードＩＤに関連付けて、売上金額記憶データベースに格納されることを特徴とする。
【００１８】
また、請求項６に記載の発明は、請求項１から５のいずれか一つに記載の発明において、前記管理装置は、前記累積売上金額記憶手段により記憶される累積売上金額を格納する累積売上金額データベースを備え、前記累積売上金額は、貸出処理機に付与された個別の識別符号に関連付けて累積売上金額記憶データベースに格納されることを特徴とする。
【００１９】
また、請求項７に記載の発明は、請求項１から６のいずれか一つに記載の発明において、前記貸出処理機から前記管理装置に対する投入金額情報の送信タイミングは、当該貸出処理機による遊技機に対する遊技媒体の貸出処理時、貸出処理機の電源投入時、前記管理装置からの送信要求時のいずれかであることを特徴とする。
【００２０】
また、請求項８に記載の発明は、請求項１から７のいずれか一つに記載の発明において、前記貸出処理機から前記管理装置に対する累積投入金額情報の送信タイミングは、当該貸出処理機による遊技機に対する遊技媒体の貸出処理時、貸出処理機の電源投入時、前記管理装置からの送信要求時のいずれかであることを特徴とする。
【００２１】
また、請求項９に記載の発明は、請求項１から８のいずれか一つに記載の発明において、前記累積売上金額判定手段による判定処理は、遊技店の閉店時間経過後におこなうことを特徴とする。
【発明の効果】
【００２２】
請求項１に記載の発明によれば、遊技客によって投入された貨幣の有価価値に基づいて、遊技機に遊技媒体を貸し出す貸出処理機と、前記貨幣による投入金額情報を売上金額情報として取得する管理装置とを備えた遊技媒体貸出管理システムであって、前記貸出処理機は、前記遊技客により投入される貨幣を受け入れ可能な貨幣挿入手段と、前記貨幣挿入手段から挿入された紙幣の有価価値を識別する有価価値識別手段と、前記有価価値識別手段により識別された有価価値に応じて、遊技機に対して遊技媒体の貸し出し処理をおこなう貸出処理手段と、前記紙幣による有価価値を投入金額として記憶する投入金額記憶手段と、前記投入金額記憶手段により記憶された投入金額を、貸出処理機に付与された個別の識別符号に関連付けた累積投入金額として算出する累積投入金額算出手段と、前記投入金額記憶手段により記憶された投入金額を売上金額情報として、前記管理装置に送信するとともに、前記累積投入金額算出手段により算出された累積投入金額を前記管理装置へ送信する送信手段とを備え、前記管理装置は、前記貸出処理機から送信される売上金額情報を記憶する売上金額記憶手段と、前記売上金額記憶手段により記憶された売上金額を、貸出処理機の識別符号に関連付けた累積売上金額として算出する累積売上金額算出手段と、前記累積投入金額算出手段により算出された累積投入金額と、前記累積売上金額算出手段により算出された累積売上金額との差異を判定する累積売上金額判定手段と、を備えるので、遊技店に設置された貸出処理機による売上状況を中央管理センタ（カード会社）で確実に把握（管理）することができるという効果を奏する。
【００２３】
また、管理装置からの警報の報知に基づいて、実際に遊技客により投入された投入金額の累積値（合計値）と、貸出処理機から管理装置に送信された売上金額情報との累計値（合計値）とに差異が発生したことを迅速に把握することができ、これによって、遊技店の不正（取引情報の間引き）を確実に発見できるという効果を奏する。
【００２４】
また、請求項２に記載の発明によれば、前記管理装置により累積される売上金額情報を管理する中央管理センタを備え、前記管理装置は、前記累積売上金額判定手段により、前記累積投入金額算出手段により算出された累積投入金額と、前記累積売上金額算出手段により算出された累積売上金額とに所定以上の差異があると判定された場合に、前記中央管理センタに対して、警報を報知する警報手段を備えるので、遊技店の不正（取引情報の間引き）を確実に発見できるうえ、遊技店に設置された貸出処理機による売上状況を中央管理センタで確実に把握（管理）することができるという効果を奏する。
【００２５】
また、請求項３に記載の発明によれば、前記貸出処理機は、前記投入金額記憶手段により記憶される投入金額を格納する投入金額記憶データベースを備え、前記投入金額は、貸出処理機に内蔵されたカード媒体のカードＩＤに関連付けて、投入金額記憶データベースに格納されるので、この投入金額記憶データベースにより遊技客から投入される紙幣の投入金額情報を正確に記憶することができるという効果を奏する。
【００２６】
また、請求項４に記載の発明によれば、前記貸出処理機は、前記累積投入金額記憶手段により記憶される累積投入金額を格納する累積投入金額記憶データベースを備え、前記累積投入金額は、貸出処理機に付与された個別の識別符号に関連付けて累積投入金額記憶データベースに格納されるので、この累積売上金額記憶データベースにより各貸出処理機別の累積売上金額を正確に記憶することができるという効果を奏する。
【００２７】
また、請求項５に記載の発明によれば、前記管理装置は、前記売上金額記憶手段により記憶される売上金額を格納する売上金額記憶データベースを備え、前記売上金額は、貸出処理機に内蔵されたカード媒体のカードＩＤに関連付けて、売上金額記憶データベースに格納されるので、この売上金額管理データベースにより、各貸出処理機から送信された売上金額を正確に記憶するとともに、効率良く管理できるという効果を奏する。
【００２８】
また、請求項６に記載の発明によれば、前記管理装置は、前記累積売上金額記憶手段により記憶される累積売上金額を格納する累積売上金額データベースを備え、前記累積売上金額は、貸出処理機に付与された個別の識別符号に関連付けて累積売上金額記憶データベースに格納されるので、この累積売上金額記憶データベースにより累積売上金額を正確に管理できるという効果を奏する。
【００２９】
また、請求項７に記載の発明によれば、前記貸出処理機から前記管理装置に対する投入金額情報の送信タイミングは、当該貸出処理機による遊技機に対する遊技媒体の貸出処理時、貸出処理機の電源投入時、前記管理装置からの送信要求時のいずれかであるので、常に最新の投入金額を管理装置に送信することができることから、各貸出処理機別の投入金額を効率良く正確に管理することができるという効果を奏する。
【００３０】
また、請求項８に記載の発明によれば、前記貸出処理機から前記管理装置に対する累積投入金額情報の送信タイミングは、当該貸出処理機による遊技機に対する遊技媒体の貸出処理時、貸出処理機の電源投入時、前記管理装置からの送信要求時のいずれかであるので、常に最新の累積売上金額を管理装置に送信することができることから、各貸出処理機別
の累積売上金額を効率良く正確に管理することができるという効果を奏する。
【００３１】
また、請求項９に記載の発明によれば、前記累積売上金額判定手段による判定処理は、遊技店の閉店時間経過後におこなうので、最終的に算出された累積売上金額を管理装置で判定することができ、これによって、遊技店の不正（取引情報の間引き）を確実に発見できるという効果を奏する。
【発明を実施するための最良の形態】
【００３２】
以下に添付図面を参照して、この発明に係る遊技媒体貸出管理システムの好適な実施例を詳細に説明する。なお、以下に示す実施例では、本発明に係る遊技媒体貸出管理システムをパチンコ遊技に適用した場合を示すこととする。なお、以下では、本実施例に係る遊技媒体貸出管理システムの概要および特徴を説明し、これに続いて、この遊技媒体貸出管理システムの構成および機能の詳細を説明し、その後、遊技媒体貸出管理システムによる全体処理に関する処理手順を説明することとする。
【実施例】
【００３３】
（遊技媒体貸出管理システムの概要および特徴）
まず最初に、本実施例に係る遊技媒体貸出管理システムの概要および特徴を説明する。１は、本実施例に係る遊技媒体貸出管理システムの概要を示す説明図である。図２は、本実施例に係る遊技媒体貸出システムの概略構成を示す機能ブロック図である。また、図３は、管理サーバ５００（Ｔ／Ｃ）の構成を、図４は、中央管理センタ６００の構成を示す機能ブロック図をそれぞれ示している。
【００３４】
すなわち、図１、２に示すように、この遊技媒体貸出管理システムでは、遊技店内のそれぞれ「島」と呼ばれるグループごとに複数の遊技機（以下、『パチンコ機』と称する）が併設されている。そして、これらパチンコ機１００にはそれぞれ１台ずつペアとなるように遊技媒体貸出処理機（以下、『玉貸出処理機』と称する）がパチンコ機１００の相互間に挟まれるように据置されており、遊技客により、この玉貸出処理機２００に挿入された紙幣（１０００円札）による入金情報（投入金額）は売上金額情報として、島コントローラ３００、中継器４００を介して管理サーバ５００に送信されるとともに、この管理サーバ５００により各玉貸出処理機２００の累積売上金額（売上実績）を個別に管理するようにしている。なお、管理サーバ５００は、遊技店内に配置されているが、実際には、中央管理センタ６００（カード会社）を管理する第三者機関により設置されている。
【００３５】
玉貸出処理機２００は、紙幣の投入により、この投入された紙幣の価値（有価価値）を上限とするパチンコ玉の貸し出し処理を主機能とするものである。ここで、本実施例における玉貸出処理機２００は、遊技客による紙幣（１０００円札）の投入時に、所定数の遊技玉（パチンコ玉）を貸し出すようにパチンコ機１００へ指示を与える機能とともに、この紙幣投入時の投入金額情報を投入金額記憶データベース２８０（図１）に記憶／格納し、この投入金額情報を売上金額情報として逐次（リアルタイム）、玉貸出処理機２００の本体ＩＤおよびカードＩＤに関連付けて、管理サーバ５００に通知する機能を備えている。また、後述するように、管理サーバ５００からの送信指示により、累積投入金額情報を管理サーバ５００に通知する機能を備えている。
【００３６】
島コントローラ３００は、玉貸出処理機２００と管理サーバ５００との間における通信を制御するものである。中継器４００（ＨＵＢ）は、各「島」内に１基づつ据置されており、各「島」内のネットワークケーブルを束ねる集線装置（コンセントレータ）としての機能を備えている。本システムでは、それぞれの中継器４００は、シリアル接続（ディジーチェーン）により構成されている。
【００３７】
管理サーバ５００は、第三者機関によって管理される中央管理センタ（カード会社）６００の中央管理コンピュータ６１０に接続されるとともに、最終的に管理サーバ５００により集計（累積）された各玉貸出処理機２００の売上金額情報を、中央管理センタ６００に送信し、この中央管理センタ６００の中央管理コンピュータ６１０により、各遊技店の売上情報が統括的に管理される遊技媒体貸出管理システムを構築している。すなわち、図２に示すように、中央管理センタ６００により複数の遊技店（管理サーバ５００）の管理がおこなわれている。
【００３８】
以上のように構成される遊技媒体貸出管理システムにおいて、本発明の特徴は、玉貸出処理機２００に対して、実際に遊技客により投入された紙幣の投入金額を売上金額情報として、管理サーバ５００に送信するとともに、この玉貸出処理機２００で算出された累積投入金額Ａと、この玉貸出処理機２００から売上金額情報として管理サーバ５００に送信し、累計値（合計値）として算出された累積売上金額Ｂとを照合することにより、遊技店の売上状況を管理サーバ５００および第三者機関である中央管理センタ（カード会社）６００により確実に把握（管理）することにある。
【００３９】
この本発明の特徴を具体的に説明すると、玉貸出処理機２００には、予め個別の本体ＩＤ（Ａ××××１０〜）と、この玉貸出処理機２００の内部に内蔵されたメモリカード２３０（図６）のカードＩＤ（Ｃ×××××１０〜）とが付与されており、各玉貸出処理機２００による入金金額情報（投入金額情報）は、一旦、玉貸出処理機２００に備えた投入金額記憶データベース２８０（図７−１）に、本体ＩＤおよびカードＩＤに関連付けられて記憶／格納し、以降、各玉貸出処理機２００は、遊技客による紙幣の投入にともない投入金額情報を更新するとともに、この遊技客により投入された紙幣（１０００円札）による投入金額情報を売上金額情報として、管理サーバ５００に対して送信するようにしている。また、遊技客により投入された玉貸出処理機２００における投入金額の累積値（累積投入金額Ａ）も、上位装置（管理サーバ５００）による指示などにより送信するようにしている。
【００４０】
一方、管理サーバ５００では、玉貸出処理機２００から送信される売上金額情報を受信し、各玉貸出処理機２００の本体ＩＤおよびカードＩＤに関連付けて、売上金額を売上金額管理データベース５６０（図８−１）に記憶するとともに、逐次、更新をおこない、この更新された累積売上金額Ｂを累積売上金額管理データベース５７５（図９−１）に格納するようにしている。
【００４１】
また、この管理サーバ５００は、実際に遊技客が玉貸出処理機２００に投入した投入金額の累積値（累積投入金額Ａ）と、この玉貸出処理機２００から管理サーバ５００に送信された売上金額の累積値（累積売上金額Ｂ）とに差異があるかを照合により判定する累積売上金額判定部５８０（図３）を備えており、この累積売上金額判定部５８０により両者の累積金額に所定以上の差異があると判明した場合に、中央管理センタ６００に対して、売上金額に差異がある旨を示す警報を報知するようにしている。すなわち、これによって、遊技店内の玉貸出処理機２００による売上金額を不正に間引くなどの不正行為を防止するようにしている。なお、この累積売上金額判定部５８０による累積売上情報の照合（判定）は、累積売上金額判定テーブル５９０（図１０）に基づいておこなうようにしている。なお、上記警報を発するか否かの基準となる『所定以上の差異』については、中央管理センター側によって、予め設定されているものとする。
【００４２】
また、本実施例では、玉貸出処理機２００から管理サーバ５００に対して送信する累積投入金額Ａの通知タイミングは、玉貸出処理機２００によるパチンコ機１００に対する玉貸処理時としている。なお、この玉貸処理時以外にも、玉貸出処理機２００本体の電源ＯＮ時（遊技店の開店時、玉貸出処理機２００の交換時）、上位装置である管理サーバ５００からの送信要求指示がある場合を条件とすることができる。すなわち、これによって、最新の累積投入金額Ａを管理サーバ５００に送信することができることから、各貸出処理機別の累積投入金額Ａを効率良く正確に管理することができる。また、管理サーバ５００からの送信要求に応じて、各玉貸出処理機２００別の累積投入金額Ａを効率良く正確に管理するようにしている。
【００４３】
また、管理サーバ５００で実行される累積投入金額Ａと累積売上金額Ｂとの照合をおこなう累積売上情報の判定（チェック）タイミングは、累積投入金額情報の通知タイミングと同様に、玉貸出処理機２００によるパチンコ機１００に対する玉貸処理時としている。なお、この玉貸処理時以外にも、玉貸出処理機２００本体の電源ＯＮ時（遊技店の開店時、玉貸出処理機２００の交換時）、上位装置である中央管理センタ６００からの累積売上金額チェック指示がある場合を条件とすることができる。すなわち、これによって、最適なタイミングで各貸出処理機別の累積売上金額の判定を効率良く正確に実行することができる。
【００４４】
（管理サーバ５００の構成および機能の詳細）
次に、図３を参照して管理サーバ５００の構成および機能の詳細について説明する。管理サーバ５００は、概略的に、遊技媒体貸出管理システムを構成する各機器の制御をおこなう装置であり、各玉貸出処理機２００に投入された紙幣（１０００円札）による入金金額（投入金額）を個別の売上金額として取得する機能を備えている。
【００４５】
すなわち、管理サーバ５００は、各玉貸出処理機２００に対して、予め付与されている本体ＩＤ（識別符号）に基づいて、個々の玉貸出処理機２００毎に投入された紙幣による入金金額情報（投入金額情報）を売上金額情報として取得／合計（累積）し、管理する機能を備えている。また、管理サーバ５００により集計された各遊技店別の玉貸出処理機２００による累積売上金額（売上実績）を中央管理センタ６００に送信する機能を備えてい
る。
【００４６】
具体的に説明すると、管理サーバ５００は、玉貸出処理機２００から送信される売上金額情報を記憶する売上金額管理データベース５６０と累積売上金額管理データベース５７５とを備えており、各玉貸出処理機２００から送信される売上金額情報は、リアルタイムで管理サーバ５００に送信されるとともに、この管理サーバ５００内に備えた売上金額管理データベース５６０に記憶される。そして、この売上金額管理データベース５６０に記憶した売上金額情報に基づいて、累積売上金額算出部５７０により累積売上金額を算出する。以下、この累積売上金額算出部５７０により算出された累積金額は、各玉貸出処理機２００の本体ＩＤに対応して累積売上金額管理データベース５７５（図９−１）に格納するようにしている。なお、これら売上金額管理データベース５６０および累積売上金額管理データベース５７５についての詳細は、後述する。
【００４７】
すなわち、図３に示すように、管理サーバ５００は、管理サーバ５００全体を統括的に制御する制御部５１０と、各種指示入力を受け付ける入力部５２０と、出力部５３０と、メニュー画面や売上情報の一覧などを表示する表示部５４０（モニタ）と、表示制御部５４５と、玉貸出処理機２００と相互に通信をおこなうための通信Ｉ／Ｆ５５０と、売上金額管理データベース５６０と、累積売上金額算出部５７０と、累積売上金額管理データベース５７５と、累積売上金額判定部５８０と、累積売上金額判定テーブル５９０とを備えている。
【００４８】
制御部５１０は、ＯＳ（Operating System）などの制御プログラム、各種の処理手順などを規定したプログラムおよび所要データを格納するための内部メモリを有し、これらによって種々の処理を実行する処理部としての機能を備えている。
【００４９】
入力部５２０は、管理サーバ５００により制御（指示）される各種の情報を入力するキーボード、マウス及びトラックボールなどの操作入力手段（入力用デバイス）であり、主に、遊技店の経営者などの経営に携わる者（管理者）からの操作により操作をおこなう手段として使用される。
【００５０】
出力部５３０はプリンタなどの印刷手段であり、本例では、管理者などの操作により、表示部５４０（モニタ）に表示される売上金額管理データベース５６０（図８−１）、累積売上金額管理データベース５７５（図９−１）、累積売上金額判定テーブル５９０（図１０）の内容を印字（プリント）する機能を備えている。
【００５１】
表示部５４０は、表示画面を出力する出力手段であり、玉貸出処理機２００から送信された売上金額情報を記憶する売上金額管理データベース５６０（図８−１）および累積売上金額管理データベース５７５（図９−１）、累積売上金額判定テーブル５９０（図１０）内の内容を表示する機能を備えており、ＣＲＴや液晶ディスプレイなどのモニタにより構成される。表示制御部５４５は、表示部５４０による表示を制御する表示制御機能を備えている。
【００５２】
通信Ｉ／Ｆ５５０は、玉貸出処理機２００の通信Ｉ／Ｆ２２１（図６）および中継器４００を介して各玉貸出処理機２００による売上情報を通信により受信する機能を備えている。
【００５３】
売上金額管理データベース５６０は、玉貸出処理機２００から送信された売上金額情報を玉貸出処理機２００の本体ＩＤ別のカードＩＤに対応させ、取引状況（取引ＩＤ）に応じて記憶／格納し、管理する機能を備えている。
【００５４】
累積売上金額算出部５７０は、売上金額管理データベース５６０に記憶された売上金額の累積（合計値）を、玉貸出処理機２００の本体ＩＤ毎の累積売上金額として算出する機能を備えている。
【００５５】
累積売上金額管理データベース５７５は、玉貸出処理機２００から送信されるとともに、売上金額管理データベース５６０に記憶された各玉貸出処理機２００別（本体ＩＤ別）の売上金額の累積値（合計値）を累積売上金額算出部５７０により算出し、この算出された累積売上金額を玉貸出処理機２００の本体ＩＤに関連付けて記憶／格納する機能を備えている。
【００５６】
累積売上金額判定部５８０は、玉貸出処理機２００に備えている投入金額記憶データベース２８０（図７−１）に記憶／格納されている累積投入金額Ａと、累積売上金額管理データベース５７５（図８−１）に記憶／格納されている累積売上金額Ｂとを照合／比較して、両者の金額に差異があるかを判定する機能を備えている。なお、この累積売上金額判定部５８０による累積投入金額Ａと累積売上金額Ｂとの照合および判定は、累積売上金額判定テーブル５９０（図１０）に基づいておこなわれる。
【００５７】
以下、図８−１、図８−２および図９−１、図９−２を参照して、売上金額管理データベース５６０および累積売上金額管理データベース５７５の詳細について説明する。
【００５８】
図８−１は、売上金額管理データベース５６０の構成内容を示している。すなわち、図８−１に示すように、売上金額管理データベース５６０は、遊技店に設置された玉貸出処理機２００を個別に特定する本体ＩＤ（Ａ××××１０・・・）と、玉貸出処理機２００に内蔵されたメモリカード２３０（図５）のカードＩＤに関連付けて、取引時（遊技客による紙幣投入時）に設定される取引ＩＤ欄５６２と、玉貸出処理機２００から紙幣の投入時（取引ＩＤ毎）に送信される売上金額情報が記憶される売上金額欄５６３と、累積売上金額欄５６４とにより構成されている。
【００５９】
図８−２は、玉貸出処理機２００からの売上情報の送信にともない作成された売上金額管理データベース５６０の一例を示している。すなわち、図８−２に示すように、売上金額データベース５６０には、玉貸出処理機２００からの売上金額情報の送信にともなって、取引ＩＤ（Ｓ００１〜Ｓ００×）の設定とともに、送信された紙幣の売上金額情報（１０００〜××××）が記憶されることとなる。また、この売上金額管理データベース５６０は、売上金額情報の送信にともなって、逐次、累積更新され、更新された累積売上金額は、累積売上金額欄５６４に記憶／格納されることとなる。本例では、取引ＩＤ（Ｓ００１〜Ｓ００×）による累積投入金額が、６５７０００円であることを示している。
【００６０】
図９−１は、累積売上金額管理データベース５７５の構成内容を示している。すなわち、図９−１に示すように、累積売上金額管理データベース５７５は、遊技店に設置された玉貸出処理機２００を個別に特定する本体ＩＤ（Ａ××××１０、Ａ××××１１〜）と、取引期日に関連付けて、売上金額の累積値が記憶／格納される累積売上金額欄５７６により構成されている。
【００６１】
また、図９−２は、玉貸出処理機２００から送信された売上金額情報に基づいて、作成された累積売上金額管理データベース５７５の一例を示している。すなわち、図９−１に示すように、玉貸出処理機２００から送信された売上金額情報にともなって、玉貸出処理機２００の本体ＩＤ別（Ａ××××１０、Ａ××××１１〜）に算出された売上金額の累積値が累積売上金額欄５７６に記憶／格納されることとなる。なお、累積金額欄５７６に記憶される累積売上金額は、累積売上金額算出部５７０（図３）により算出される。
【００６２】
累積売上金額判定テーブル５９０は、売上金額管理データベース５６０（図８−１）に記憶／格納されている累積売上金額Ａと、累積売上金額管理データベース５７５（図８−１）に記憶／格納されている累積売上金額Ｂとを照合／比較して、両者の金額に差があるか否かを判定するテーブルである。
【００６３】
次いで、図１０を参照して、累積売上金額判定テーブル５９０の詳細について説明する。図１０は、累積売上金額判定テーブル５９０の一例を示す図である。すなわち、累積売上金額判定テーブル５９０は、各玉貸出処理機２００の本体ＩＤ（識別符号）に対応して、累積投入金額Ａが格納される累積投入金額欄５９１と累積売上金額Ｂが格納される累積売上金額欄５９２と、両者（累積投入金額Ａと累積売上金額Ｂ）の照合による差異の判定結果欄５９３とを備えて構成されている。
【００６４】
すなわち、図１０に示すように、累積売上金額判定テーブル５９０の累積売上金額Ａには、玉貸出処理機２００に備えた投入金額記憶データベース２８０により記憶された投入金額に基づいて、累積投入金額算出部２８１（図６）により算出された累積投入金額された売上金額が格納される。
【００６５】
一方、累積売上金額Ｂには、管理サーバ５００に備えた売上金額管理データベース５６０により記憶された売上金額に基づいて、累積売上金額算出部５７０（図３）により算出された累積売上金額Ｂが格納される。そして、これら累積投入金額Ａと累積売上金額Ｂとに差がある場合には、累積売上金額判定部５８０（図２）による判定は、ＮＧとなり、管理サーバ５００から中央管理センタ６００に対して、その旨を通知する警報が報知されることとなる。具体的には、管理サーバ５００から中央管理センタ６００に対して、累積売上情報に差異がある旨が送信されることとなる。
【００６６】
そして、この図１０では、本体ＩＤ（Ａ××××１０）の玉貸出処理機２００の場合、累積投入金額Ａが６５７０００円であり、累積売上金額算出部５７０により算出された累積売上金額Ｂが６５７０００円であることを示しており、この場合、両者の累積金額が一致するため、判定結果はＯＫとなっている。
【００６７】
一方、本体ＩＤ（Ａ××××１１）の玉貸出処理機２００の場合、累積投入金額Ａが５５７０００円であり、累積売上金額算出部５７０により算出された累積売上金額Ｂが５４００００円であることを示しており、この場合、両者の累積金額が一致しないため、判定結果はＮＧとなっている。前述したように、両者の累積金額が一致しない場合、管理サーバ５００から中央管理センタ６００に対して、警報が報知されることとなる。
【００６８】
（中央管理センタの構成）
次に、図４を参照して、中央管理センタ６００（カード会社）の構成および機能の詳細について説明する。図４に示すように、中央管理センタ６００は、管理サーバ５００から送信される遊技店別の類型売上金額情報を統括的に収集する中央管理コンピュータ６１０を備えており、この中央管理コンピュータ６１０は、中央管理コンピュータ６１０の全体制御をおこなう制御部６１１と、各遊技店の売上実績などを表示する表示部６１２と、操作をおこなう操作部６１３と、記憶部６１４と、管理サーバ５００の通信Ｉ／Ｆ５５０と通信をおこなう通信Ｉ／Ｆ６１５とを備えている。この中央管理センタ６００は、各遊技店に配置された管理サーバ５００との間で相互に通信をおこなうことにより、管理サーバ５００が取得した玉貸出処理機２００の売上金額情報に基づいて、各遊技店ごとの総売上集計、各玉貸出処理機２００の管理などをおこなう機能を備えている。
【００６９】
（玉貸出処理機２００の構成）
次に、玉貸出処理機２００およびパチンコ機１００について説明する。図５は、本実施例で適用する玉貸出処理機２００およびパチンコ機１００の外観を示した正面図、図６は、玉貸出処理機２００の内部構成を示す機能ブロック図である。
【００７０】
図５に示すように、玉貸出処理機２００は、外見上縦長に構成したもので、本体部２１０とＢＶユニット部２５０（紙幣収納ユニット）とにより構成されている。ＢＶユニット部２５０は、本体部２１０よりも前方に向けて僅かに突出するように形成され、このＢＶユニット部２５０は、リモコンによる「解錠指示操作」により本体部２１０から自動的に取り出し可能に構成されている。
【００７１】
また、本体部２１０の前面パネルには、上から順に表示ランプ２１１と、表示部２１２と、リモコン用受光部２１３と、メモリカード確認窓２１８とを備えている。このメモリカード確認窓２１８の内部には、メモリカード２３０（図６）が装着されている。このメモリカード２３０には、予め固有のカードＩＤ（Ｃ××××１０、Ｃ×××１１〜）が記録されている。また、ＢＶユニット部２５０は、紙幣を投入するための紙幣挿入／返却口２５５を備えている。
【００７２】
ここで、玉貸出処理機２００には、予め個別の本体ＩＤ（識別符号）が付与されている。この本体ＩＤ（識別符号）とは、玉貸出処理機２００が工場出荷時に付与されるユニークな識別符号（Ａ××××１０、Ａ××××１１〜）のことを示している（図７−１）。
【００７３】
表示ランプ２１１は、後述する制御部２２０からの制御信号に基づいて点灯し、この点灯により紙幣の受け付け可能状態を遊技客に報知する機能を備えている。表示部２１２は、玉貸出処理機２００の状態（エラー発生、解錠可能状態）を表示（緑色／赤色のランプ表示）により報知する機能を備えている。
【００７４】
リモコン用受光部２１３は、リモコンにより送信された送信信号に基づいて、玉貸出処理機２０のエラー状態をリセットするエラーリセット信号、解錠指示信号を受信する機能を具備している。電源部２１４は、玉貸出処理機２００に対して、ＡＣ電源（１００Ｖ）による電圧を供給するための電源部である。
【００７５】
メモリカード確認窓２１８は、玉貸出処理機２００の内部にメモリカード（カード媒体）２３０が装着されていることを確認する確認窓としての機能を備えている。前述したように、このメモリカード２３０には、玉貸出処理機２００の本体ＩＤ（Ａ××××１０、Ａ××××１１〜）に対応付けて、固有のカードＩＤ（Ｃ××××１０、Ｃ××××１１〜）が記録されている。
【００７６】
通信Ｉ／Ｆ２２１は、管理サーバ５００の通信Ｉ／Ｆ５５０（図３）に対して、主に玉貸出処理機２００に投入された投入金額情報を売上金額情報として送信する機能を備えている。
【００７７】
制御部２２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、パチンコ機１００に対する玉投出機能を具備する玉貸制御部２２５を備えている。
【００７８】
カードＩＤ記憶部２３１は、メモリカード２３０を特定するカードＩＤを記憶／格納する機能を備えている。ここで、玉貸出処理機２００の内部にメモリカード２３０が装着された時に、このメモリカード２３０には、玉貸出処理機２００の本体ＩＤ（識別符号）に対応して、固有のカードＩＤが作成され、このカードＩＤは、このカードＩＤ記憶部２３１とメモリカード２３０とに記録されるものとなる。なお、玉貸出処理機２００およびメモリカード２３０が交換された場合には、同様のカードＩＤが新たに内蔵されたメモリカード２３０に記録されることとなる。
【００７９】
ＢＶユニット部２５０は、紙幣挿入／返却口２５５と、紙幣収納部２５１と、紙幣識別部２５２と、ＢＶユニット制御部２６０と、ＢＶロック機構部２７０とを備えている。紙幣挿入／返却口２５５は、紙幣（例えば、１０００円札）を受け入れるとともに、不良紙幣を返却するための開口である。この紙幣挿入／返却口２５５から受け入れた紙幣は、ＢＶユニット部２５０の紙幣収納部２５１に取り込まれる。
【００８０】
紙幣収納部２５１は、遊技客により紙幣挿入／返却口２５５から挿入された紙幣を整列状態で収納する機能を備えている。紙幣識別部２５２は、遊技客により紙幣挿入／返却口２５５から挿入された紙幣に対する金額情報の判定（識別）および金額情報を記憶する紙幣処理機能を備えており、遊技客により挿入された紙幣を受け入れて識別し、正常と判定される紙幣については、その識別結果および金額情報を主制御部２２０に通知する機能を備えている。一方、不良紙幣と識別した紙幣は、そのまま紙幣挿入／返却口２５５を通じて返却する機能を備えている。
【００８１】
ＢＶユニット制御部２６０は、管理サーバ５００より解錠を許可する旨を通知された後に、リモコンにより解錠を指示する旨を通知された場合、ＢＶユニット部２５０の解錠をおこなうように制御する処理部である。
【００８２】
ＢＶロック機構部２７０は、「係員」が所持するリモコンによる操作により解錠を指示する旨（解錠指示通知）が送信された場合に、ロックを解錠する機能を備えている。「係員」が玉貸出処理機２００のリモコン用受光部２１３に向けて、リモコンの個別解錠ボタンをＯＮ操作するとＢＶユニット部２５０が玉貸出処理機２００の前方に突出するとともに、紙幣収納部２５１が開口する機構となっている。これにより、紙幣収納部２５１に収納された紙幣を回収することができる。
【００８３】
投入金額記憶データベース２８０は、実際に遊技客により投入された紙幣の有価価値（金額）および投入金額の合計値（累積値）を、玉貸出処理機２００の本体ＩＤおよびカードＩＤに関連付けて記憶／格納する機能を備えている。
【００８４】
累積投入金額算出部２８１は、投入金額記憶データベース２８０に記憶／格納された遊技客による投入金額の合計値（累積値）を算出する機能を備えている。
【００８５】
以下、図７−１、図７−２を参照して、投入金額記憶データベース２８０の詳細について説明する。
【００８６】
図７−１は、投入金額記憶データベース２８０の構成内容を示している。すなわち、図７−１に示すように、投入金額記憶データベース２８０は、遊技店に設置された玉貸出処理機２００を個別に特定する本体ＩＤ（Ａ××××１０）と、玉貸出処理機２００に内蔵されたメモリカード２３０（図６）のカードＩＤに関連付けて、取引時（遊技客による紙幣投入時）に設定される取引ＩＤ欄２８２と、遊技客が実際に玉貸出処理機２００に投入した紙幣の金額が記憶される投入金額欄２８３と、累積投入金額欄２８４とにより構成されている。なお、この累積投入金額欄２８４に記憶／格納される累積投入金額は累計投入金額算出部２８１（図６）により算出される。そして、投入金額記憶データベース２８０には、遊技客が玉貸出処理機２００に紙幣を投入する都度、記憶データとして格納され、この投入金額記憶データベース２８０内の投入金額情報は、売上金額情報として、リアルタイムで管理サーバ５００に対して通知される。
【００８７】
図７−２は、遊技客による紙幣の投入にともない作成された投入金額記憶データベース２８０の一例を示している。すなわち、図７−２に示すように、投入金額記憶データベース２８０には、遊技客による紙幣の投入にともなって、取引ＩＤ（Ｓ００１〜Ｓ００×）の設定とともに、投入された紙幣の金額情報（１０００〜××××）が記憶されることとなる。また、この投入金額記憶データベース２８０は、遊技客による紙幣の投入にともなって、逐次、累積更新され、更新された累積投入金額は、累積投入金額欄２８４に記憶／格納される。本例では、取引ＩＤ（Ｓ００１〜Ｓ００×）による累積投入金額が、６５７０００円であることを示している。この投入金額記憶データベース２８０に記憶された投入金額は、売上金額情報としてリアルタイムで管理サーバ５００に送信されるものとなる。
【００８８】
（パチンコ機１００の構成および機能の詳細）
次に、図５に示したパチンコ機１００の詳細について説明する。図５に示すように、パチンコ機１００は遊技領域１１０および下方に設けた上皿１２０とにより構成され、その内部には玉投出機構部１３０が設けてある。この玉投出機構部１３０は、玉貸出処理機２００の制御部２２０の玉貸制御部２２５から貸玉投出要求が与えられた場合、並びにパチンコ機１００による賞玉投出要求が与えられた場合に、それぞれパチンコ機１００の上皿１２０に所定数のパチンコ玉を投出する部分である。同図に示すように、このパチンコ１００の前面上部は遊技者がパチンコ遊技を行う遊技領域であり、このパチンコ機１００の内部には玉投出機構部１３０が設けられ、また、前面下部の上皿１２０には度数表示部１２１と、貸出ボタン１２２と、返却ボタン１２３とが設けられている。
【００８９】
度数表示部１２１は、遊技客により玉貸出処理機２００に投入された紙幣の有価価値および遊技にともない減算する有価価値残高を数値（度数）として表示する表示部としての機能を備えている。
【００９０】
貸出ボタン１２２は、遊技客が玉の貸し出しを受ける際に押下するボタンであり、この貸出ボタン１２２の押下（ＯＮ）に応じて、玉貸出処理機２００からパチンコ機１００に対してパチンコ玉が投出されるとともに、管理サーバ５００により管理されている残度数が減算される。
【００９１】
玉投出機構部１３０は、パチンコ玉の貸出用と、パチンコ機１００における入賞時の賞玉の払出し用との両方を兼用している。従って、この玉投出機構部１３０は、直接、あるいは、パチンコ機１００のコントローラを介して間接的に、玉貸出処理機２００によって制御される。なお、上述した度数表示部１２１なども同様に玉貸出処理機２００からの指示に従ってその表示内容が更新され、上述した貸出ボタン１２２などの操作状況は、パチンコ機１００から玉貸出処理機２００へと通知される。
【００９２】
（遊技媒体貸出管理システムにおける基本制御手順）
図１１は、本実施例に係る遊技媒体貸出管理システムの基本制御手順を示すフローチャートである。すなわち、本発明の遊技媒体貸出システムは、大別して（１）投入金額識別工程（ステップＳＡ１１０）と、（２）投入金額記憶工程（ステップＳＡ１２０）と、（３）玉貸出処理工程（ステップＳＡ１３０）と、（４）累積投入金額更新工程（ステップＳＡ１４０）と、（５）売上金額送信工程（ステップＳＡ１５０）と、（６）売上金額記憶工程（ステップＳＡ１６０）と、（７）累積売上金額記憶工程（ステップＳＡ１７０）と、（８）累積売上金額判定工程（ステップＳＡ１８０）との８つの処理工程により構成されている。まず、これら（１）〜（８）の各制御工程について簡単に説明する。
【００９３】
（１）投入金額識別工程（ステップＳＡ１１０）
投入金額識別工程は、遊技客により紙幣挿入／返却口２５５（図５）から投入された紙幣が正常であるか否か（真偽）を判定するとともに、投入された紙幣の有価価値（金額）を識別する処理工程である。なお、投入された紙幣の真偽は、ＢＶユニット部２５０の紙幣識別部２５２（図６）によりおこなわれる。
【００９４】
（２）投入金額記憶工程（ステップＳＡ１２０）
投入金額記憶工程は、玉貸出処理機２００の本体ＩＤおよびカードＩＤに対応付けて、遊技客から投入された投入（売上）金額を記憶する処理工程である。この投入金額記憶工程により記憶される紙幣の有価価値情報は、玉貸出処理機２００に備えた投入金額記憶データベース２８０（図７−１）にカードＩＤに対応付けて取引ＩＤ毎に投入金額が記憶される。
【００９５】
（３）玉貸出処理工程（ステップＳＡ１３０）
玉貸出処理工程は、玉貸出処理機２００からパチンコ機１００に対して玉の貸し出し処理をおこなう処理工程である。具体的には、遊技客によって玉貸出処理機２００に対して現金（紙幣）が投入された際、この玉貸出処理機２００からパチンコ機１００に対して、玉を貸し出す玉貸し出し命令を通知する処理工程である。
【００９６】
（４）累積投入金額更新工程（ステップＳＡ１４０）
累積投入金額更新工程は、投入金額記憶工程により記憶された玉貸出処理機２００の本体ＩＤおよびカードＩＤ別の累計投入金額を、遊技客による紙幣の投入にともなって更新する処理工程である。
【００９７】
（５）売上金額送信工程（ステップＳＡ１５０）
売上金額送信工程は、玉貸出処理機２００に対する遊技客からの投入金額情報を売上金額情報として、玉貸出処理機２００の本体ＩＤおよびカードＩＤに対応付けて管理サーバ５００に対して送信する処理工程である。具体的には、遊技客によって玉貸出処理機２０に対して現金（紙幣）が投入された際、投入された紙幣による売上情報を玉貸出処理機２００の本体識別ＩＤに関連付けて管理サーバ５００に対して通知する処理工程である。
【００９８】
（６）売上金額記憶工程（ステップＳＡ１６０）
売上金額記憶工程は、玉貸出処理機２００から送信された売上金額を記憶する処理工程である。
【００９９】
（７）累積売上金額記憶工程（ステップＳＡ１７０）
累積売上金額記憶工程は、玉貸出処理機２００に実際に投入された投入金額の累積値（合計値）を累積投入金額Ａとして、記憶する処理工程である。なお、この累積売上金額記憶工程による累積投入金額の算出は累計投入金額算出部２８１（図６）によりおこなわれる。
【０１００】
（８）累積売上金額判定工程（ステップＳＡ１８０）
累積売上金額判定工程は、玉貸出処理機２００において、実際に投入された投入金額の累積値（合計値）である累積投入金額Ａと、管理サーバ５００の累積売上金額算出部５７０（図３）により算出された累積売上金額Ｂとの間に所定以上の差異があるかを判定する処理工程である。なお、この累積売上金額判定工程により、玉貸出処理機２００に実際に投入された投入金額の累積（合計）である累積投入金額Ａと、管理サーバ５００により累計された累積売上金額Ｂとに差異があると判定された場合に、中央管理センタ６００に対して累計金額に差異がある旨の警報が報知されることとなる。
【０１０１】
（遊技媒体の貸し出し管理手順）
次に、図１２のフローチャートを参照して、本実施例における遊技媒体の貸出管理手順を詳細に説明する。この図１２に示すフローチャートは、遊技店に設置された玉貸出処理機２００と管理サーバ５００との間でおこなわれる遊技媒体（パチンコ玉）の貸出管理手順を示している。
【０１０２】
ここで、以下の図１２に示すフローチャートでは、玉貸出処理機２００を特定する本体ＩＤ（識別符号）を「Ａ××××１０」とし、本体ＩＤ（識別符号）に対応するカードＩＤを「Ｃ×××××１」とし、遊技客により投入される紙幣による金額（有価価値）は、１０００円札の紙幣を例として説明する。
【０１０３】
また、管理サーバ５００に対する売上金額および累積売上金額の送信および管理サーバ５００による累積売上金額のチェック（判定）は、玉貸出処理機２００による玉貸出処理時におこなうものとして説明する。
【０１０４】
すなわち、図１２のフローチャートに示すように、玉貸出処理機２００は、遊技客による紙幣（貨幣）の投入待ち状態（待機状態）となっており（ステップＳ１１０）、以下、遊技客により玉貸出処理機２００の紙幣挿入／返却口２５５（図６）に紙幣（１０００円札）が投入されると（ステップＳ１１５）、次いで、この遊技客により投入された紙幣の真偽を判定する紙幣真偽判定処理に移行する（ステップＳ１２０）。このステップＳ１２０による、紙幣の真偽判定は、ＢＶユニット部２５０（図６）の紙幣識別部２５２によりおこなう。
【０１０５】
具体的には、遊技客により投入された紙幣が、正常な紙幣か正常でない紙幣かの判定をおこない（ステップＳ１３０）、そして、このステップＳ１３０の判定により、投入された紙幣が正常な紙幣（真）と判定された場合には（ステップＳ１３０肯定）、次いで、この投入された紙幣の金額（有価価値）の識別判定に移行する（ステップＳ１４０）。具体的には、遊技客により紙幣挿入／返却口２５５から投入された紙幣の有価価値（投入金額）を識別することとなる。本例では、このステップＳ１４０により判定された紙幣の有価価値は、１０００円として以下、説明する。
【０１０６】
なお、ステップＳ１３０の判定により、投入された紙幣が不良紙幣と判定された場合には（ステップＳ１３０否定）、この不良と判定された紙幣は紙幣挿入／返却口２５５を通じて返却され（ステップＳ１４５）、以下、処理を終了する（エンド）。
【０１０７】
次いで、玉貸出処理機２００は、紙幣の投入による投入金額を入金金額として投入金額記憶データベース２８０（図７−１）に、記憶／格納する（ステップＳ１５０）。具体的には、玉貸出処理機２００の本体ＩＤ（Ａ××××１０〜）およびメモリカード２３０のカードＩＤ（Ｃ×××××１〜）に関連付けて、取引ＩＤ（Ｓ００１）と入金金額情報（投入金額）である１０００円が記憶される（図７−２）。
【０１０８】
以下、この投入金額記憶データベース２８０において、遊技客による紙幣の投入にともなって、累積投入金額は更新（累積投入金額Ａ）されて記憶されることとなる（ステップＳ１６０）。
【０１０９】
以下、玉貸出処理機２００は、パチンコ機１００に対する遊技媒体に貸し出し処理（玉貸出処理）に移行する（ステップＳ１７０）。
【０１１０】
具体的には、玉投出機構部１３０（図５）により１０００円分の玉の貸し出し処理がおこなわれ、これにより、パチンコ機１００の上皿１２０には、１０００円分のパチンコ玉の投出がおこなわれ、遊技客による遊技が可能となる。
【０１１１】
以下、玉貸出処理機２００は、管理サーバ５００に対して、遊技客による投入金額情報を売上金額情報として、通信Ｉ／Ｆ２２１（図５）を通じて管理サーバ５００の通信Ｉ／Ｆ５５０（図３）に対して、玉貸出処理機２００の本体ＩＤおよびカードＩＤに関連付けた売上金額情報の送信をおこなう（ステップＳ１８０）。
【０１１２】
本例では、玉貸出処理機２００を示す本体ＩＤ（「Ａ××××１０」）およびカードＩＤ（「Ｃ×××××１」）に関連付けられて、ステップＳ１１５で投入された紙幣の有価価値情報（金額）を示す１０００円が管理サーバ５００に対して送信される。
【０１１３】
一方、管理サーバ５００では、玉貸出処理機２００から送信された売上金額情報を受信すると（ステップＳ１９０肯定）、次いで、この受信した売上金額情報を売上金額管理データベース５６０（図８−１）内に格納する（ステップＳ２００）。以下、管理サーバ５００では、玉貸出処理機２００から送信される売上金額情報の受信にともなって、累積売上金額算出部５７０により累積売上金額を更新（累積売上金額Ｂ）し、この累積売上金額Ｂを累積売上金額管理データベース５７５（図９−１）に記憶／格納する（ステップＳ２１０）。具体的には、売上金額管理データベース５６０（図８−２）に格納された売上金額に基づいて、累積売上金額算出部５７０（図３）により、売上金額の累積金額（累積売上金額Ｂ）を算出する。
【０１１４】
次いで、管理サーバ５００では、遊技店の閉店処理かの判定により（ステップＳ２２０）、このステップＳ２２０の判定により閉店処理であると判定された場合には（ステップ
Ｓ２２０肯定）、次いで、玉貸出処理機２００に対する累積売上金額の送信依頼処理に移
行する。具体的には、玉貸出処理機２００に対して、累積投入金額の送信依頼を通知する
（ステップＳ２２５）。
【０１１５】
ここで、本例では、遊技店の閉店時に玉貸出処理機２００から累積投入金額情報を送信する例として説明しているが、これに限らず、前述したように、玉貸出処理機２００から管理サーバ５００に対して送信する累積投入金額情報の通知タイミングは、管理サーバ５００から累積売上金額情報の送信指示が通知され時に、玉貸出処理機２００によるパチンコ機１００に対する玉貸処理時としている。なお、この玉貸処理時以外にも、玉貸出処理機２００本体の電源ＯＮ時（遊技店の開店時、玉貸出処理機２００の交換時）、上位装置である管理サーバ５００からの送信要求指示がある場合を条件とすることができる。
【０１１６】
一方、玉貸出処理機２００は、管理サーバ５００からの「累積投入金額情報の送信依頼通知」を受信すると（ステップＳ２２１肯定）、投入金額記憶データベース２８０（図７−２）に記憶された投入金額に基づいて、累積投入金額算出部２８１（図６）により累積投入金額を算出し、この累積投入金額算出部２８１により算出された投入金額の合計値（累積投入金額Ａ）を、管理サーバ５００に対して送信する（ステップＳ２２２）。
【０１１７】
以下、管理サーバ５００では、玉貸出処理機２００から累積投入金額Ａの送信があるか否かの判定により（ステップＳ２３０）、累積投入金額Ａを受信した場合（ステップＳ２３０肯定）、この累積投入金額Ａを取得し（ステップＳ２４０）、以下、この累積投入金額Ａと、前記ステップＳ２１０により算出された累積売上金額Ｂとの照合をおこなう（ステップＳ２５０）。
【０１１８】
すなわち、次のステップＳ２６０により、累積投入金額Ａと累積売上金額Ｂとの間で、累積金額に所定以上の差異があるか否かの判定をおこない（ステップＳ２６０）、このステップＳ２６０の判定により、両者（累積投入金額Ａと累積売上金額Ｂ）の累積売上金額に所定以上の差異がないと判定された場合には（ステップＳ２６０否定）、累積売上金額Ｂがそのまま遊技店の売上実績金額として、中央管理センタ６００に送信され（ステップＳ２８０）、この中央管理センタ６００により遊技店の売上状況が統括的に管理されることとなる（エンド）。
【０１１９】
具体的に説明すると、図１０に示す累積売上金額判定テーブル５９０において、本体ＩＤ（Ａ××××１０）の玉貸出処理機２００の場合、累積投入金額Ａが６５７０００円であり、一方、管理サーバ２００で算出された累積売上金額Ｂも同額の６５７０００円であるため、両者に差異は発生していない、この場合、累積売上金額Ｂの６５７０００円は、そのまま売上実績金額として中央管理センタ６００に送信されることとなる。
【０１２０】
一方、ステップＳ２６０の判定により、両者（累積投入金額Ａと累積売上金額Ｂ）の累積売上金額に所定以上の差異があると判定された場合には（ステップＳ２６０肯定）、この管理サーバ５００から中央管理センタ６００に対して、「累積売上金額に相違がある旨」が警報として通知される（ステップＳ２７０）。
【０１２１】
具体的に説明すると、図１０示す累積売上金額判定テーブル５９０において、本体ＩＤ（Ａ××××１１）の玉貸出処理機２００の場合、累積投入金額Ａが５５７０００円であり、一方、管理サーバ５００で算出された累積売上金額Ｂが５４００００円であるため、両者に差異が発生しているため、この場合、取引情報の間引きなど何らかの不正があったとして、管理サーバ５００から中央管理センタ６００に対して、「累積売上金額に相違がある旨」が警報として通知される。
【０１２２】
以上説明したように、本実施例に係る遊技媒体貸出管理システムによれば、貸出処理機に対して、遊技客が実際に投入（入金）した紙幣による累積投入金額Ａと、玉貸出処理機２００から売上金額情報として管理サーバ５００に送信し、算出された累積売上金額とを照合するとともに、両者の累積売上金額に所定以上の差異がある場合には、異常として、中央管理センタ（カード会社）に対して、警報を報知するようにしているので、遊技店の売上状況を中央管理センタで確実に把握（管理）することができる。また、管理装置からの警報の報知に基づいて、実際に遊技客により投入された投入金額の累積値（合計値）と、貸出処理機から管理サーバに送信された売上金額情報との累計値（合計値）とに差異が発生したことを迅速に把握することができ、これによって、遊技店の不正（取引情報の間引き）を確実に発見することができる。
【０１２３】
（他の実施例）
さて、これまで本発明の実施例について説明したが、本発明は上述した実施例以外にも、上記特許請求の範囲に記載した技術的思想の範囲内において種々の異なる実施例にて実施されてもよいものである。
【０１２４】
すなわち、本実施例では、本発明に係る遊技媒体貸出システムをパチンコ遊技に適用した場合を示しているが、本発明の遊技媒体貸出システムは、パチンコ遊技に限定することなく、例えば、パチスロ機による遊技媒体貸出システムにも好適に適用することができる。
【０１２５】
また、玉貸出処理機２００における他の構成要件としては、工場出荷以来の玉貸金額を記憶することができる『累積投入金額記憶部』を備えることとし、この累積投入金額記憶による金額情報を、遊技店の閉店処理時に、管理サーバ５００に送信するシステム構成としてもよい。なお、原則として『累積投入金額記憶部』の記憶内容は階竄できないものとする。
【０１２６】
また、管理サーバ５００の他の機能としては、玉貸出処理機２００から受け取った累積投入金額情報から、前回の閉店処理時に受け取った累積投入金額情報を減算して、今回の期間内（通常は１日）の売上金額を算出するようにしてもよい。この場合、算出された売上金額と、その期間内にリアルタイムで受け取った売上情報の合計金額と比較し、両者に所定以上の差異があるか否かを判定する。
【０１２７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【産業上の利用可能性】
【０１２８】
以上のように、本発明に係る遊技媒体貸出管理システムは、貸出処理機による売上金額情報を統括的に管理する中央管理センタ（カード会社）に対して、遊技店の売上金額情報を正確に管理することができる遊技媒体貸出管理システムに適している。
【図面の簡単な説明】
【０１２９】
【図１】本実施例に係る遊技媒体貸出管理システムの概要を示す説明図である。
【図２】本実施例に係る遊技媒体貸出管理システムの概略構成を示す機能ブロック図である。
【図３】図２に示した管理サーバの構成を示す機能ブロック図である。
【図４】図２に示した中央管理センタの構成を示す機能ブロック図である。
【図５】図２に示した玉貸処理機およびパチンコ機の外観正面図である。
【図６】玉貸出処理機の内部構成を示す全体機能ブロック図である。
【図７−１】投入金額記憶データベースの構成内容を示す図である。
【図７−２】同投入金額データベースによる投入金額記憶時の構成内容を示す図である。
【図８−１】売上金額管理データベースの構成内容を示す図である。
【図８−２】同売上金額データベースによる売上金額記憶時の構成内容を示す図である。
【図９−１】累積売上金額管理データベースの構成内容を示す図である。
【図９−２】同累積売上金額データベースによる累積売上金額記憶時の構成内容を示す図である。
【図１０】累積売上金額判定テーブルの構成内容を示す図である。
【図１１】本実施例に係る遊技媒体貸出管理システムの基本制御手順を示すフローチャートである。
【図１２】本実施例に係る遊技媒体貸出管理システムの全体処理手順を示すフローチャートである。
【符号の説明】
【０１３０】
１００  パチンコ機
１１０  遊技領域
１２０  上皿
１２１  度数表示部
１２２  貸出ボタン
１２３  返却ボタン
１３０  玉投出機構部
２００  玉貸出処理機
２１０  本体部
２１１  表示ランプ
２１２  表示部
２１３  リモコン受光部
２１４  電源部
２１８  メモリカード確認窓
２２０  主制御部
２２１、５５０、６１５  通信Ｉ／Ｆ
２２５  玉貸制御部
２３０  メモリカード
２３１  カードＩＤ記憶部
２５０  ＢＶユニット部
２５１  紙幣収納部
２５２  紙幣識別部
２５５  紙幣挿入／返却口
２６０  ＢＶユニット制御部
２７０  ＢＶロック機構部
２８０  投入金額記憶データベース
２８１  累積投入金額算出部
２８２、５６２  取引ＩＤ欄
２８３  投入金額欄
２８４  累積投入金額欄
３００  島コントローラ
４００  中継器
５００  管理サーバ
５１０  制御部
５２０  入力部
５３０  出力部
５４０  表示部
５４５  表示制御部
５６０  売上金額管理データベース
５６３  売上金額欄
５６４、５７６  累積売上金額欄
５７０  累積売上金額算出部
５７５  累積売上金額管理データベース
５８０  累積売上金額判定部
５９０  累積売上金額判定テーブル
６００  中央管理センタ
６１０  中央管理コンピュータ
【手続補正３】
【補正対象書類名】図面
【補正対象項目名】図３
【補正方法】変更
【補正の内容】
【図３】
2006141792.tif 000018
【手続補正４】
【補正対象書類名】図面
【補正対象項目名】図４
【補正方法】変更
【補正の内容】
【図４】
2006141792.tif 000019
【手続補正５】
【補正対象書類名】図面
【補正対象項目名】図６
【補正方法】変更
【補正の内容】
【図６】
2006141792.tif 000020
【手続補正６】
【補正対象書類名】図面
【補正対象項目名】図７−１
【補正方法】変更
【補正の内容】
【図７−１】
2006141792.tif 000021
【手続補正７】
【補正対象書類名】図面
【補正対象項目名】図７−２
【補正方法】変更
【補正の内容】
【図７−２】
2006141792.tif 000022
【手続補正８】
【補正対象書類名】図面
【補正対象項目名】図１２
【補正方法】変更
【補正の内容】
【図１２】
2006141792.tif 000023